(57)【要約】  本発明は、モノのインターネットにおけるＳＭＳ処理方法、モビリティ管理ネットワークエレメント及び端末デバイスを開示し、モノのインターネット端末デバイスにＳＭＳサービスを提供する。方法は、パケット交換ＰＳドメイン内のモビリティ管理ネットワークエレメントにより、端末デバイスにより送信された非共同登録要求を受信する段階であって、非共同登録要求は、ＰＳドメインへの端末デバイスの登録を実行するために用いられ、非共同登録要求は、ＳＭＳのみのインジケーション情報を保持する段階と、ＰＳドメイン内のモビリティ管理ネットワークエレメントがＰＳドメインを通じて端末デバイスに対してＳＭＳを転送できないと判定した場合、ＰＳドメイン内のモビリティ管理ネットワークエレメントにより、回線交換ＣＳドメイン内のモビリティ管理ネットワークエレメントにロケーション更新要求を送信する段階であって、ロケーション更新要求は、ＣＳドメインへの端末デバイスの登録を実行するために用いられる、段階とを含む。
2019521592.tif 000002
【特許請求の範囲】
【請求項１】
モノのインターネットにおけるＳＭＳ処理方法であって、
パケット交換ＰＳドメイン内のモビリティ管理ネットワークエレメントにより、端末デバイスにより送信された非共同登録要求を受信する段階であって、前記非共同登録要求は、ＳＭＳのみのインジケーション情報を保持する、段階と、
前記ＰＳドメイン内の前記モビリティ管理ネットワークエレメントが前記ＰＳドメインを通じて前記端末デバイスに対してＳＭＳを転送できないと判定した場合、前記ＰＳドメイン内の前記モビリティ管理ネットワークエレメントにより、回線交換ＣＳドメイン内のモビリティ管理ネットワークエレメントにロケーション更新要求を送信する段階であって、前記ロケーション更新要求は、前記ＣＳドメインへの前記端末デバイスの登録を実行するために用いられる、段階と
を備える、方法。
【請求項２】
前記ＰＳドメイン内の前記モビリティ管理ネットワークエレメントにより、前記ＣＳドメイン内の前記モビリティ管理ネットワークエレメントにより送信されたロケーション更新受諾メッセージを受信する段階であって、前記ロケーション更新受諾メッセージは、前記ＣＳドメイン内の前記モビリティ管理ネットワークエレメントが前記ＣＳドメインへの前記端末デバイスの前記登録を受諾したことを示すために用いられる、段階をさらに備える、請求項１に記載の方法。
【請求項３】
前記ロケーション更新メッセージは、ＣＳドメインモビリティ管理パラメータを有し、前記方法は、
前記ＰＳドメイン内の前記モビリティ管理ネットワークエレメントにより、前記ＣＳドメインモビリティ管理パラメータを格納することにより、前記ＰＳドメイン内の前記モビリティ管理ネットワークエレメントが、再び、前記ＣＳドメインへの前記端末デバイスの前記登録を実行する必要がある場合、前記ＣＳドメインモビリティ管理パラメータは、前記ＣＳドメインへの前記端末デバイスの前記登録を実行するために用いられる段階をさらに備える、請求項２に記載の方法。
【請求項４】
前記ＰＳドメイン内の前記モビリティ管理ネットワークエレメントにより、前記ＣＳドメイン内の前記モビリティ管理ネットワークエレメントにより送信されたロケーション更新拒否メッセージを受信する段階であって、前記ロケーション更新拒否メッセージは、前記ＣＳドメイン内の前記モビリティ管理ネットワークエレメントが前記ＣＳドメインへの前記端末デバイスの前記登録を拒否したことを示すために用いられる、段階と、
前記ＰＳドメイン内の前記モビリティ管理ネットワークエレメントにより、前記端末デバイスに第１インジケーション情報を送信する段階であって、前記第１インジケーション情報は、前記ＰＳドメイン内の前記モビリティ管理ネットワークエレメントが前記端末デバイスにＳＭＳサービスを提供できないことを示すために用いられる、段階と
をさらに備える、請求項１に記載の方法。
【請求項５】
モノのインターネットにおけるＳＭＳ処理方法であって、
端末デバイスにより、パケット交換ＰＳドメイン内のモビリティ管理ネットワークエレメントに非共同登録要求を送信する段階であって、前記非共同登録要求は、ＳＭＳのみのインジケーション情報を保持する、段階と、
前記端末デバイスにより、前記ＰＳドメイン内の前記モビリティ管理ネットワークエレメントにより送信された第１インジケーション情報を受信する段階であって、前記第１インジケーション情報は、前記ＰＳドメイン内の前記モビリティ管理ネットワークエレメントが、前記端末デバイスにＳＭＳサービスを提供できないことを示すために用いられ、前記ＰＳドメイン内の前記モビリティ管理ネットワークエレメントが、前記端末デバイスにより送信された前記非共同登録要求を受信した後、前記ＰＳドメイン内の前記モビリティ管理ネットワークエレメントが前記ＰＳドメインを通じて前記端末デバイスに対してＳＭＳを転送できないと判定した場合に、前記第１インジケーション情報は、前記端末デバイスに送信される、段階と
を備える方法。
【請求項６】
前記ＰＳドメイン内の前記モビリティ管理ネットワークエレメントが、前記端末デバイスにより送信された前記非共同登録要求を受信した後、前記ＰＳドメイン内の前記モビリティ管理ネットワークエレメントが前記ＰＳドメインを通じて前記端末デバイスに対して前記ＳＭＳを転送できないと判定し、回線交換ＣＳドメイン内のモビリティ管理ネットワークエレメントが、前記ＣＳドメインへの前記端末デバイスの登録を拒否した場合に、前記第１インジケーション情報は、前記端末デバイスに送信される、請求項５に記載の方法。
【請求項７】
前記端末デバイスにより、タイマを開始し、前記タイマが時間切れになった場合に、前記ＰＳドメイン内の前記モビリティ管理ネットワークエレメントに非共同登録要求を再送信する段階であって、前記非共同登録要求は、前記ＳＭＳのみのインジケーション情報を保持する、段階、又は、
前記端末デバイスにより、前記ＳＭＳサービスを取得することを再要求すべく、トラッキングエリア再選択、ロケーションエリア再選択又は公衆陸上移動体ネットワークＰＬＭＮ選択という動作のうちのいずれか１つを実行する段階、又は
前記端末デバイスにより、前記ＰＳドメイン内の前記モビリティ管理ネットワークエレメントに共同登録要求を送信する段階であって、前記共同登録要求は、前記ＳＭＳのみのインジケーション情報を保持する、段階
をさらに備える、請求項５又は６に記載の方法。
【請求項８】
モノのインターネットにおけるＳＭＳ処理方法であって、
パケット交換ＰＳドメイン内のモビリティ管理ネットワークエレメントにより、端末デバイスにより送信された非共同登録要求を受信する段階であって、前記非共同登録要求は、ＳＭＳのみのインジケーション情報を保持する、段階と、
前記ＰＳドメイン内の前記モビリティ管理ネットワークエレメントが前記端末デバイスにＳＭＳサービスを提供できないと判定した場合、前記ＰＳドメイン内の前記モビリティ管理ネットワークエレメントにより、前記端末デバイスに第１インジケーション情報を送信する段階であって、前記第１インジケーション情報は、前記ＰＳドメイン内の前記モビリティ管理ネットワークエレメントが前記端末デバイスに前記ＳＭＳサービスを提供できないことを示すために用いられる、段階と
を備える方法。
【請求項９】
前記ＰＳドメイン内の前記モビリティ管理ネットワークエレメントが、前記ＰＳドメイン内の前記モビリティ管理ネットワークエレメントが前記端末デバイスにＳＭＳサービスを提供できないと判定することは、
前記ＰＳドメイン内の前記モビリティ管理ネットワークエレメントが、共同手順を用いないＳＭＳ転送をサポートしていないことを含み、前記第１インジケーション情報は、具体的には、前記ＰＳドメイン内の前記モビリティ管理ネットワークエレメントが、共同手順を用いないＳＭＳ転送をサポートしていないことを示すために用いられる、請求項８に記載の方法。
【請求項１０】
前記ＰＳドメイン内の前記モビリティ管理ネットワークエレメントが、前記ＰＳドメイン内の前記モビリティ管理ネットワークエレメントが前記端末デバイスにＳＭＳサービスを提供できないと判定することは、
前記ＰＳドメイン内の前記モビリティ管理ネットワークエレメントが、共同手順を用いないＳＭＳ転送をサポートするが、前記ＰＳドメインを通じて前記端末デバイスに対してＳＭＳを転送できないことを含み、前記第１インジケーション情報は、具体的には、前記ＰＳドメイン内の前記モビリティ管理ネットワークエレメントが、前記ＰＳドメインを通じて前記端末デバイスに対して前記ＳＭＳを転送できないことを示すために用いられる、請求項８に記載の方法。
【請求項１１】
モノのインターネットにおけるＳＭＳ処理方法であって、
端末デバイスにより、パケット交換ＰＳドメイン内のモビリティ管理ネットワークエレメントに非共同登録要求を送信する段階であって、前記非共同登録要求は、ＳＭＳのみのインジケーション情報を保持する、段階と、
前記端末デバイスにより、前記ＰＳドメイン内の前記モビリティ管理ネットワークエレメントにより送信された第１インジケーション情報を受信する段階であって、前記第１インジケーション情報は、前記ＰＳドメイン内の前記モビリティ管理ネットワークエレメントが、共同手順を用いないＳＭＳ転送をサポートしていないことを示すために用いられ、前記ＰＳドメイン内の前記モビリティ管理ネットワークエレメントが、前記端末デバイスにより送信された前記非共同登録要求を受信した後、前記ＰＳドメイン内の前記モビリティ管理ネットワークエレメントが共同手順を用いないＳＭＳ転送をサポートしていないと判定した場合に、前記第１インジケーション情報は、前記端末デバイスに送信される、段階と
を備える方法。
【請求項１２】
前記端末デバイスにより、前記ＰＳドメイン内の前記モビリティ管理ネットワークエレメントに共同登録要求を送信する段階であって、前記共同登録要求は、前記ＳＭＳのみのインジケーション情報を保持する、段階、又は、
前記端末デバイスにより、前記ＳＭＳサービスを取得することを再要求するべく、トラッキングエリア再選択、ロケーションエリア再選択又は公衆陸上移動体ネットワークＰＬＭＮ選択という動作のうちのいずれか１つを実行する段階
をさらに備える、請求項１１に記載の方法。
【請求項１３】
モビリティ管理ネットワークエレメントであって、
端末デバイスにより送信された非共同登録要求を受信するように構成される受信ユニットであって、前記非共同登録要求は、ＳＭＳのみのインジケーション情報を保持する、受信ユニットと、
前記モビリティ管理ネットワークエレメントがＰＳドメインを通じて前記端末デバイスにＳＭＳを転送できるか否かを判定するように構成される処理ユニットと、
前記モビリティ管理ネットワークエレメントが前記ＰＳドメインを通じて前記端末デバイスに対して前記ＳＭＳを転送できないと前記処理ユニットが判定した場合、回線交換ＣＳドメイン内のモビリティ管理ネットワークエレメントにロケーション更新要求を送信するように構成される送信ユニットであって、前記ロケーション更新要求は、前記ＣＳドメインへの前記端末デバイスの登録を実行するために用いられる、送信ユニットと
を備えるモビリティ管理ネットワークエレメント。
【請求項１４】
前記受信ユニットは、具体的には、前記ＣＳドメイン内の前記モビリティ管理ネットワークエレメントにより送信されたロケーション更新受諾メッセージを受信するように構成され、前記ロケーション更新受諾メッセージは、前記ＣＳドメイン内の前記モビリティ管理ネットワークエレメントが前記ＣＳドメインへの前記端末デバイスの前記登録を受諾したことを示すために用いられる、請求項１３に記載のモビリティ管理ネットワークエレメント。
【請求項１５】
前記ロケーション更新受諾メッセージは、ＣＳドメインモビリティ管理パラメータを有し、
前記モビリティ管理ネットワークエレメントは、
ストレージユニットをさらに備え、前記ストレージユニットは、前記ＣＳドメインモビリティ管理パラメータを格納するように構成され、前記ＣＳドメインへの前記端末デバイスの前記登録が再び実行される必要がある場合に、前記ＣＳドメインモビリティ管理パラメータを用いることにより、前記ＣＳドメインへの前記端末デバイスの前記登録を実行する、請求項１４に記載のモビリティ管理ネットワークエレメント。
【請求項１６】
前記受信ユニットは、具体的には、前記ＣＳドメイン内の前記モビリティ管理ネットワークエレメントにより送信されたロケーション更新拒否メッセージを受信するように構成され、前記ロケーション更新拒否メッセージは、前記ＣＳドメイン内の前記モビリティ管理ネットワークエレメントが前記ＣＳドメインへの前記端末デバイスの前記登録を拒否したことを示すために用いられ、
前記送信ユニットは、具体的には、前記端末デバイスに第１インジケーション情報を送信するように構成され、前記第１インジケーション情報は、前記ＰＳドメインモビリティ管理ネットワークエレメントが前記端末デバイスにＳＭＳサービスを提供できないことを示すために用いられる、請求項１３に記載のモビリティ管理ネットワークエレメント。
【請求項１７】
端末デバイスであって、
パケット交換ＰＳドメイン内のモビリティ管理ネットワークエレメントに非共同登録要求を送信するように構成される送信ユニットであって、前記非共同登録要求は、ＳＭＳのみのインジケーション情報を保持する、送信ユニットと、
前記ＰＳドメイン内の前記モビリティ管理ネットワークエレメントにより送信された第１インジケーション情報を受信するように構成される受信ユニットであって、前記第１インジケーション情報は、前記ＰＳドメイン内の前記モビリティ管理ネットワークエレメントが前記端末デバイスにＳＭＳサービスを提供できないことを示すために用いられ、前記ＰＳドメイン内の前記モビリティ管理ネットワークエレメントが、前記端末デバイスにより送信された前記非共同登録要求を受信した後、前記ＰＳドメイン内の前記モビリティ管理ネットワークエレメントが前記ＰＳドメインを通じて前記端末デバイスに対してＳＭＳを転送できないと判定した場合に、前記第１インジケーション情報は、前記端末デバイスに送信される、受信ユニットと
を備える端末デバイス。
【請求項１８】
前記ＰＳドメイン内の前記モビリティ管理ネットワークエレメントが、前記端末デバイスにより送信された前記非共同登録要求を受信した後、前記ＰＳドメイン内の前記モビリティ管理ネットワークエレメントが前記ＰＳドメインを通じて前記端末デバイスに対して前記ＳＭＳを転送できないと判定し、回線交換ＣＳドメイン内のモビリティ管理ネットワークエレメントが、前記ＣＳドメインへの前記端末デバイスの登録を拒否した場合に、前記第１インジケーション情報は、前記端末デバイスに送信される、請求項１７に記載の端末デバイス。
【請求項１９】
前記端末デバイスは、第１処理ユニットをさらに備え、
前記第１処理ユニットは、タイマを開始するように構成され、
前記送信ユニットは、具体的には、前記タイマが時間切れになったと前記第１処理ユニットが判定した場合に、前記ＰＳドメイン内の前記モビリティ管理ネットワークエレメントに非共同登録要求を再送信するように構成され、前記非共同登録要求は、前記ＳＭＳのみのインジケーション情報を保持する、又は、
前記端末デバイスは、第２処理ユニットを備え、前記第２処理ユニットは、前記ＳＭＳサービスを取得することを再要求すべく、トラッキングエリア再選択、ロケーションエリア再選択又は公衆陸上移動体ネットワークＰＬＭＮ選択という動作のうちのいずれか１つを実行するように構成される、又は、
前記送信ユニットは、さらに、前記ＰＳドメイン内の前記モビリティ管理ネットワークエレメントに共同登録要求を送信するように構成され、前記共同登録要求は、前記ＳＭＳのみのインジケーション情報を保持する、請求項１７又は１８に記載の端末デバイス。
【請求項２０】
モビリティ管理ネットワークエレメントであって、
端末デバイスにより送信された非共同登録要求を受信するように構成される受信ユニットであって、前記非共同登録要求は、ＳＭＳのみのインジケーション情報を保持する、受信ユニットと、
前記モビリティ管理ネットワークエレメントが前記端末デバイスにＳＭＳサービスを提供できるか否かを判定するように構成される処理ユニットと、
前記モビリティ管理ネットワークエレメントが前記端末デバイスに前記ＳＭＳサービスを提供できないと前記処理ユニットが判定した場合、前記端末デバイスに第１インジケーション情報を送信するように構成される送信ユニットであって、前記第１インジケーション情報は、前記モビリティ管理ネットワークエレメントが前記端末デバイスに前記ＳＭＳサービスを提供できないことを示すために用いられる、送信ユニットと
を備えるモビリティ管理ネットワークエレメント。
【請求項２１】
前記ＰＳドメイン内の前記モビリティ管理ネットワークエレメントは、共同手順を用いないＳＭＳ転送をサポートしておらず、前記第１インジケーション情報は、具体的には、前記ＰＳドメイン内のモビリティ管理ネットワークエレメントが、共同手順を用いないＳＭＳ転送をサポートしていないことを示すために用いられる、請求項２０に記載のモビリティ管理ネットワークエレメント。
【請求項２２】
前記ＰＳドメイン内の前記モビリティ管理ネットワークエレメントは、共同手順を用いないＳＭＳ転送をサポートしているが、前記ＰＳドメインを通じて前記端末デバイスに対してＳＭＳを転送できず、前記第１インジケーション情報は、具体的には、前記ＰＳドメイン内の前記モビリティ管理ネットワークエレメントが前記ＰＳドメインを通じて前記端末デバイスに対して前記ＳＭＳを転送できないことを示すために用いられる、請求項２０に記載のモビリティ管理ネットワークエレメント。
【請求項２３】
端末デバイスであって、
パケット交換ＰＳドメイン内のモビリティ管理ネットワークエレメントに非共同登録要求を送信するように構成される送信ユニットであって、前記非共同登録要求は、ＳＭＳのみのインジケーション情報を保持する、送信ユニットと、
前記ＰＳドメイン内の前記モビリティ管理ネットワークエレメントにより送信された第１インジケーション情報を受信するように構成される受信ユニットであって、前記第１インジケーション情報は、前記ＰＳドメイン内の前記モビリティ管理ネットワークエレメントが、共同手順を用いないＳＭＳ転送をサポートしていないことを示すために用いられ、前記ＰＳドメイン内の前記モビリティ管理ネットワークエレメントが、前記端末デバイスにより送信された前記非共同登録要求を受信した後、前記ＰＳドメイン内の前記モビリティ管理ネットワークエレメントが共同手順を用いないＳＭＳ転送をサポートしていないと判定した場合に、前記第１インジケーション情報は、前記端末デバイスに送信される、受信ユニットと
を備える端末デバイス。
【請求項２４】
前記送信ユニットは、さらに、前記ＰＳドメイン内の前記モビリティ管理ネットワークエレメントに共同登録要求を送信するように構成され、前記共同登録要求は、前記ＳＭＳのみのインジケーション情報を保持する、又は、
前記端末デバイスは、
前記ＳＭＳサービスを取得することを再要求すべく、トラッキングエリア再選択、ロケーションエリア再選択又は公衆陸上移動体ネットワークＰＬＭＮ選択という動作のうちのいずれか１つを実行するように構成される処理ユニットをさらに備える、請求項２３に記載の端末デバイス。
【発明の詳細な説明】
【技術分野】
【０００１】
本願は、２０１６年９月２８日に中国特許庁に出願され、「モノのインターネットにおけるＳＭＳ処理方法、モビリティ管理ネットワークエレメント及び端末デバイス」と題する中国特許出願第２０１６１０８５９０００．６号の優先権を主張し、参照によりその全体が本明細書に組み込まれる。
【０００２】
本発明は、モノのインターネットの分野、より具体的には、モノのインターネットにおけるＳＭＳ処理方法、モビリティ管理ネットワークエレメント及び端末デバイスに関する。
【背景技術】
【０００３】
無線通信技術の発展、及び、様々な垂直産業へのモバイルブロードバンドインターネットの漸進的な普及に伴い、より多くの従来の端末デバイスが、インターワーキングを実装するためにモバイルインターネットにアクセスし、各垂直産業に対してより便利で多岐にわたるサービスを提供する必要があり、その結果、全てのもののインターネットに関する要件が形成され、ひいては、モノのインターネット（Ｉｎｔｅｒｎｅｔ  ｏｆ  Ｔｈｉｎｇｓ、ＩｏＴ）が現れた。モノのインターネットの分岐として、セルラ方式のモノのインターネット（Ｃｅｌｌｕｌａｒ  Ｉｎｔｅｒｎｅｔ  ｏｆ  Ｔｈｉｎｇｓ、ＣＩｏＴ）は、狭帯域のモノのインターネット（Ｎａｒｒｏｗｂａｎｄ  Ｉｎｔｅｒｎｅｔ  ｏｆ  Ｔｈｉｎｇｓ、ＮＢ‐ＩｏＴ）アクセス技術を用いることにより、モバイル通信ネットワークへのモノのインターネット端末のアクセスを実行するモノのインターネットがある。モノのインターネット端末は、簡単な機能のアプリケーション機能、低消費電力及び頻繁ではないユーザデータ転送を有するので、既存の進化型パケットシステム（Ｅｖｏｌｖｅｄ  Ｐａｃｋｅｔ  Ｓｙｓｔｅｍ、ＥＰＳ）において定義される多くの機能的な特性は、極めて複雑であり、かつ、ＣＩｏＴ適用シナリオにとっては不必要である。ゆえに、ＥＰＳの既存のネットワーク機能は、業界において最適化されている。
【０００４】
例えば、従来の端末デバイスは、共同登録手順を開始して、回線交換（Ｃｉｒｃｕｉｔ  Ｓｗｉｔｃｈｅｄ、ＣＳ）ドメイン及びパケット交換（Ｐａｃｋｅｔ  Ｓｗｉｔｃｈｅｄ、ＰＳ）ドメインへの端末デバイスの共同登録を実行する必要があり、これにより、ＳＭＳ転送を実行する。これは、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）リリース（Ｒｅｌｅａｓｅ）１３において最適化されており、共同手順を用いないＳＭＳ転送（ＳＭＳ  ｔｒａｎｓｆｅｒ  ｗｉｔｈｏｕｔ  ｃｏｍｂｉｎｅｄ  ｐｒｏｃｅｄｕｒｅ）機能が導入されている。具体的には、モノのインターネット端末は、モノのインターネット端末が非共同登録手順を開始してＰＳドメインへの登録を実行することが提供されるＳＭＳサービスにおいて取得できる。
【０００５】
従来技術において、ネットワーク側のＳＭＳ転送は、２つの経路をサポートする。一方の経路に関して、ＳＭＳは、ＣＳドメイン内のＳＧｓインタフェースを通じて転送される（ＳＭＳ‐ｏｖｅｒ‐ＳＧｓ）。他方の経路に関して、ＳＭＳは、ＰＳドメイン内のＳＧｄインタフェースを通じて転送される（ＳＭＳ‐ｉｎ‐ＭＭＥ）。ＳＭＳ‐ｏｖｅｒ‐ＳＧｓは、成熟したＳＭＳ転送メカニズムである。しかしながら、ＳＭＳ‐ｉｎ‐ＭＭＥにおけるＳＭＳ転送メカニズムは、３ＧＰＰリリース（Ｒｅｌｅａｓｅ）１１において新たに導入されてものである。ネットワーク側で、ＰＳドメインにおいてＳＭＳを転送する経路をサポートする必要がある場合、ＳＭＳプロトコルスタックがさらに実装される必要がある。しかしながら、ＳＭＳ‐ｉｎ‐ＭＭＥは、めったにライブネットワーク内のオペレータのネットワーク側に配備されることはない。
【０００６】
ゆえに、ＳＭＳ‐ｉｎ‐ＭＭＥが配備されていないオペレータネットワークにおいて、モノのインターネット端末デバイスにＳＭＳサービスを提供する方法が、解決すべき緊急の課題となっている。
【発明の概要】
【０００７】
本願は、モノのインターネット端末デバイスにＳＭＳサービスを提供するために、モノのインターネットにおけるＳＭＳ処理方法、モビリティ管理ネットワークエレメント及び端末デバイスを提供する。
【０００８】
第１態様によれば、本願は、モノのインターネットにおけるＳＭＳ処理方法を提供する。方法は、パケット交換ＰＳドメイン内のモビリティ管理ネットワークエレメントにより、端末デバイスにより送信された非共同登録要求を受信する段階であって、非共同登録要求は、ＰＳドメインへの端末デバイスの登録を実行するために用いられ、非共同登録要求は、ＳＭＳのみのインジケーション情報を保持する、段階と、ＰＳドメイン内のモビリティ管理ネットワークエレメントがＰＳドメインを通じて端末デバイスに対してＳＭＳを転送できないと判定した場合、ＰＳドメインモビリティ内の管理ネットワークエレメントにより、回線交換ＣＳドメイン内のモビリティ管理ネットワークエレメントにロケーション更新要求を送信する段階であって、ロケーション更新要求は、ＣＳドメインへの端末デバイスの登録を実行するために用いられる、段階とを含む。
【０００９】
ＳＭＳのみのインジケーション情報は、端末デバイスがＳＭＳサービスを取得することを要求することを示すために用いられる。言い換えれば、ＳＭＳのみのインジケーション情報は、端末デバイスがＳＭＳを転送する必要があることを示すために用いられる。
【００１０】
ＰＳドメイン管理ネットワークエレメントが、ＥＰＳネットワーク内のモビリティ管理ネットワークエレメントであってよい、例えば、モビリティ管理エンティティ（Ｍｏｂｉｌｉｔｙ  Ｍａｎａｇｅｍｅｎｔ  Ｅｎｔｉｔｙ、ＭＭＥ）であってよいことに留意されるべきである。代替的に、ＰＳドメイン内のモビリティ管理ネットワークエレメントは、将来のネットワーク（例えば、５Ｇ）におけるコアネットワーク内のネットワークエレメントであってよい。
【００１１】
本発明の本実施形態における端末デバイスがモノのインターネット端末デバイスであることにさらに留意すべきである。説明しやすくするために、モノのインターネット端末デバイスは、以下では、端末デバイスと称される。
【００１２】
モノのインターネット端末デバイスは、モノのインターネットのエアインタフェースアクセス技術（例えば、狭帯域のモノのインターネット  ＮＢ‐ＩｏＴ）を用いることにより、モノのインターネットのコアネットワーク（例えば、ＥＰＳ）にアクセスでき、モノのインターネットサービス（例えば、スマートメータ、スマートハウスホールド及び高度道路交通などのサービス）をユーザに提供できる端末デバイスであることを理解すべきである。モノのインターネット端末デバイスは、モノのインターネット内に広く分散される。
【００１３】
本発明の本実施形態において、ＳＭＳ‐ｉｎ‐ＭＭＥがＰＳドメイン管理ネットワークエレメントに配備されていない場合に、ＰＳドメイン管理ネットワークエレメントが、端末デバイスにより送信された非共同登録要求を受信した場合、ＰＳドメイン管理ネットワークエレメントは、ＣＳドメインへの端末デバイスの登録を実行すべく、ＣＳドメイン管理ネットワークエレメントにロケーション更新要求を送信する。言い換えれば、ＰＳドメイン管理ネットワークエレメントは、非共同登録手順から共同登録手順への変換を実行する。ＳＭＳサービスは、非共同登録手順から共同登録手順への変換をモノのインターネット端末デバイスが知らない場合に、モノのインターネット端末デバイスに提供され得る。
【００１４】
実現可能な実装例において、方法は、ＰＳドメイン内のモビリティ管理ネットワークエレメントにより、ＣＳドメイン内のモビリティ管理ネットワークエレメントにより送信されたロケーション更新受諾メッセージを受信する段階であって、ロケーション更新受諾メッセージは、ＣＳドメイン内のモビリティ管理ネットワークエレメントがＣＳドメインへの端末デバイスの登録を受諾したことを示すために用いられる、段階をさらに含む。
【００１５】
本実施形態において、ＰＳドメインのモビリティ管理ネットワークエレメントがＣＳドメイン内のモビリティ管理ネットワークエレメントにロケーション更新要求を送信した後、ＣＳドメイン内のモビリティ管理ネットワークエレメントが、ＣＳドメインへのＵＥの登録を受諾できる場合、ＣＳドメイン内のモビリティ管理ネットワークエレメントは、ＰＳドメイン内のモビリティ管理ネットワークエレメントにロケーション更新受諾メッセージを送信する。このように、ＰＳドメイン内のモビリティ管理ネットワークエレメントは、ＵＥがＣＳドメインへの登録に成功したことを知り、これにより、ＣＳドメインを通じて端末デバイスにＳＭＳサービスを提供する。
【００１６】
実現可能な実装例において、ロケーション更新メッセージは、ＣＳドメインモビリティ管理パラメータを含み、方法は、ＰＳドメイン内のモビリティ管理ネットワークエレメントにより、ＣＳドメインモビリティ管理パラメータを格納する段階をさらに含み、その結果、ＰＳドメイン内のモビリティ管理ネットワークエレメントが、再び、ＣＳドメインへの端末デバイスの登録を実行する必要がある場合、ＣＳドメインモビリティ管理パラメータは、ＣＳドメインへの端末デバイスの登録を実行するために用いられる。
【００１７】
ＣＳドメインへの端末デバイスの登録を受諾した場合、ＣＳドメイン内のモビリティ管理ネットワークエレメントは、ＰＳドメイン管理ネットワークエレメントに送信されたロケーション更新メッセージにＣＳドメインモビリティ管理パラメータを追加してよいことが理解されるべきである。ＰＳドメイン管理ネットワークエレメントはＣＳドメインモビリティ管理パラメータを格納する。このように、ＰＳドメイン管理ネットワークエレメントが、次回、ＣＳドメインへの端末デバイスの登録を実行する必要がある場合に、ＰＳドメイン管理ネットワークエレメントは、全てのＣＳドメイン登録手順を再開する代わりに、ＣＳドメインモビリティ管理パラメータを直接用いて、ＣＳドメインへの端末デバイスの登録を実行してよく、これにより、シグナリングオーバヘッドを低減させる。
【００１８】
本実施形態において、ＰＳドメイン管理ネットワークエレメントは、ＣＳドメイン内のモビリティ管理ネットワークエレメントにより送信されたＣＳドメインモビリティ管理パラメータを受信して格納することに留意されるべきである。しかしながら、ＰＳドメイン管理ネットワークエレメントは、端末デバイスにＣＳドメインモビリティ管理パラメータを送信しない。ゆえに、端末デバイスは、ネットワーク側が非共同登録手順から共同登録手順への変換を実行することを知らない。
【００１９】
実現可能な実装例において、方法は、ＰＳドメイン内のモビリティ管理ネットワークエレメントにより、ＣＳドメイン内のモビリティ管理ネットワークエレメントにより送信されたロケーション更新拒否メッセージを受信する段階であって、ロケーション更新拒否メッセージは、ＣＳドメイン内のモビリティ管理ネットワークエレメントがＣＳドメインへの端末デバイスの登録を拒否したことを示すために用いられる、段階と、ＰＳドメイン内のモビリティ管理ネットワークエレメントにより、端末デバイスに第１インジケーション情報を送信する段階であって、第１インジケーション情報は、ＰＳドメイン内のモビリティ管理ネットワークエレメントが端末デバイスにＳＭＳサービスを提供できないことを示すために用いられる、段階とをさらに含む。
【００２０】
（例えば、ＣＳドメイン輻輳制御、ＣＳドメインネットワーク側障害などに起因して）ＣＳドメイン内のモビリティ管理ネットワークエレメントがＣＳドメインへの端末デバイスの登録を受諾しない場合、ＣＳドメイン内のモビリティ管理ネットワークエレメントは、ＰＳドメイン内のモビリティ管理ネットワークエレメントにロケーション更新拒否メッセージを送信する。ＰＳドメイン内のモビリティ管理ネットワークエレメントは、ロケーション更新拒否メッセージに基づいて、ＣＳドメインへの端末デバイスの登録が失敗したことを知る。言い換えれば、ネットワーク側は、ＣＳドメインを通じてＵＥに対してＳＭＳを転送できない。さらに、ＳＭＳ‐ｉｎ‐ＭＭＥがＰＳドメイン内のモビリティ管理ネットワークエレメントに配備されていない、言い換えれば、ＳＭＳが、ＰＳドメインを通じてＵＥに対して転送されることができないので、ＰＳドメインのモビリティ管理ネットワークエレメントは、ネットワーク側がＳＭＳサービスを提供できないことをＵＥに通知する。このように、ＵＥは、ＵＥの挙動を最適化（例えば、非共同登録要求を再開する、又は、別の位置又は別のネットワークにおいてＳＭＳサービスを取得することを試みる）して、再びＳＭＳサービスを取得できる。ネットワーク側がＳＭＳサービスを提供できないことをネットワーク側がＵＥに通知できない従来技術のメカニズムと比較して、本実施形態において提供される技術的解決法は、ユーザのＳＭＳサービス体験を改善し得る。
【００２１】
第２態様によれば、本願は、モノのインターネットにおけるＳＭＳ処理方法を提供する。方法は、端末デバイスにより、パケット交換ＰＳドメイン内のモビリティ管理ネットワークエレメントに非共同登録要求を送信する段階であって、非共同登録要求は、ＰＳドメインへの端末デバイスの登録を実行するために用いられ、非共同登録要求は、ＳＭＳのみのインジケーション情報を保持する、段階と、端末デバイスにより、ＰＳドメイン内のモビリティ管理ネットワークエレメントにより送信された第１インジケーション情報を受信する段階であって、第１インジケーション情報は、ＰＳドメイン内のモビリティ管理ネットワークエレメントが端末デバイスにＳＭＳサービスを提供できないことを示すために用いられ、ＰＳドメイン内のモビリティ管理ネットワークエレメントが、端末デバイスにより送信された非共同登録要求を受信した後、ＰＳドメイン内のモビリティ管理ネットワークエレメントがＰＳドメインを通じて端末デバイスに対してＳＭＳを転送できないと判定した場合に、第１インジケーション情報は、端末デバイスに送信される、段階とを含む。
【００２２】
ＳＭＳのみのインジケーション情報は、端末デバイスがＳＭＳサービスを取得することを要求することを示すために用いられることが理解されるべきである。言い換えれば、ＳＭＳのみのインジケーション情報は、端末デバイスがＳＭＳを転送する必要があることを示すために用いられる。
【００２３】
本発明の本実施形態において、ＰＳドメイン管理ネットワークエレメントは、ＥＰＳネットワーク内のモビリティ管理ネットワークエレメントであってよく、例えば、ＭＭＥであってよい。代替的に、ＰＳドメイン内のモビリティ管理ネットワークエレメントは、将来のネットワーク（例えば、５Ｇ）におけるコアネットワーク内のネットワークエレメントであってよい。
【００２４】
ＳＭＳ‐ｉｎ‐ＭＭＥがＰＳドメイン管理ネットワークエレメントに配備されていない場合に、ＰＳドメイン管理ネットワークエレメントが、端末により送信された非共同登録要求を受信した場合、ＰＳドメイン管理ネットワークエレメントは、ＣＳドメインへの端末デバイスの登録を実行すべく、ＣＳドメイン管理ネットワークエレメントにロケーション更新要求を送信する。言い換えれば、ＰＳドメイン管理ネットワークエレメントは、非共同登録手順から共同登録手順への変換を実行し、端末デバイスが、非共同登録手順から共同登録手順への変換を知らない場合に、共同手順を用いないＳＭＳ転送機能をサポートする端末デバイスにＳＭＳサービスを提供する。
【００２５】
実現可能な実装例において、ＰＳドメイン内のモビリティ管理ネットワークエレメントが、端末デバイスにより送信された非共同登録要求を受信した後、ＰＳドメイン内のモビリティ管理ネットワークエレメントがＰＳドメインを通じて端末デバイスに対してＳＭＳを転送できないと判定し、回線交換ＣＳドメイン内のモビリティ管理ネットワークエレメントがＣＳドメインへの端末デバイスの登録を拒否した場合に、第１インジケーション情報は、端末デバイスに送信される。
【００２６】
実現可能な実装例において、方法は、端末デバイスにより、タイマを開始し、タイマが時間切れになった場合に、ＰＳドメイン内のモビリティ管理ネットワークエレメントに非共同登録要求を再送信する段階であって、非共同登録要求は、ＳＭＳのみのインジケーション情報を保持する、段階、又は、端末デバイスにより、ＳＭＳサービスを取得することを再要求すべく、トラッキングエリア再選択、ロケーションエリア再選択又は公衆陸上移動体ネットワークＰＬＭＮ選択という動作のうちのいずれか１つを実行する段階、又は、端末デバイスにより、ＰＳドメイン内のモビリティ管理ネットワークエレメントに共同登録要求を送信する段階であって、共同登録要求は、ＳＭＳのみのインジケーション情報を保持する、段階をさらに含む。
【００２７】
さらに、ネットワーク側がＳＭＳサービスを提供できないことを分からない場合、ＵＥは、ＵＥによりＳＭＳサービスを取得する挙動を最適化（例えば、非共同登録要求を再開する、又は、別の位置又は別のネットワークにおいてＳＭＳサービスを取得することを試みる）して、再びＳＭＳサービスを取得してよい。ネットワーク側がＳＭＳサービスを提供できないことをネットワーク側がＵＥに通知できない従来技術のメカニズムと比較して、本実施形態において提供される技術的解決法は、ユーザのＳＭＳサービス体験を改善し得る。
【００２８】
第３態様によれば、本願は、モノのインターネットにおけるＳＭＳ処理方法を提供する。方法は、パケット交換ＰＳドメイン内のモビリティ管理ネットワークエレメントにより、端末デバイスにより送信された非共同登録要求を受信する段階であって、非共同登録要求は、パケット交換ＰＳドメインへの端末デバイスの登録を実行するために用いられ、非共同登録要求は、ＳＭＳのみのインジケーション情報を保持する、段階と、ＰＳドメイン内のモビリティ管理ネットワークエレメントにより、端末デバイスに第１インジケーション情報を送信する段階であって、第１インジケーション情報は、ＰＳドメイン内のモビリティ管理ネットワークエレメントが端末デバイスにＳＭＳサービスを提供できないことを示すために用いられる、段階とを含む。
【００２９】
ＳＭＳのみのインジケーション情報は、端末デバイスがＳＭＳサービスを取得することを要求することを示すために用いられることが理解されるべきである。言い換えれば、ＳＭＳのみのインジケーション情報は、端末デバイスがＳＭＳを転送する必要があることを示すために用いられる。
【００３０】
本発明の本実施形態において、ＳＭＳ‐ｉｎ‐ＭＭＥがＰＳドメイン管理ネットワークエレメントに配備されていない場合、ＰＳドメイン管理ネットワークエレメントは、端末により送信された非共同登録要求を受信する。ＰＳドメイン管理ネットワークエレメントが、共同手順を用いないＳＭＳ転送機能をサポートしていない場合、ＰＳドメイン管理ネットワークエレメントは、「ネットワーク側が共同手順を用いないＳＭＳ転送機能をサポートしていない」という情報を端末に直接通知してよい。ネットワーク側がＳＭＳサービスを提供できないという理由をＵＥが知ることができない従来技術と比較して、本実施形態において提供される技術的解決法は、ユーザのＳＭＳサービス体験を改善し得る。さらに、ＵＥによりＳＭＳサービスを取得する挙動が最適化され得、その結果、ＵＥは、ＳＭＳサービスを迅速に取得する。
【００３１】
実現可能な実装例において、ＰＳドメイン内のモビリティ管理ネットワークエレメントが、ＰＳドメイン内のモビリティ管理ネットワークエレメントが端末デバイスにＳＭＳサービスを提供できないと判定することは、
ＰＳドメイン内のモビリティ管理ネットワークエレメントが共同手順を用いないＳＭＳ転送をサポートしていないことを含み、第１インジケーション情報は、具体的には、ＰＳドメイン内のモビリティ管理ネットワークエレメントが共同手順を用いないＳＭＳ転送をサポートしていないことを示すために用いられる。
【００３２】
実現可能な実装例において、ＰＳドメイン内のモビリティ管理ネットワークエレメントが、ＰＳドメイン内のモビリティ管理ネットワークエレメントが端末デバイスにＳＭＳサービスを提供できないと判定することは、
ＰＳドメイン内のモビリティ管理ネットワークエレメントが共同手順を用いないＳＭＳ転送をサポートしているが、ＰＳドメインを通じて端末デバイスに対してＳＭＳを転送できないことを含み、第１インジケーション情報は、具体的には、ＰＳドメイン内のモビリティ管理ネットワークエレメントがＰＳドメインを通じて端末デバイスに対してＳＭＳを転送できないことを示すために用いられる。
【００３３】
第４態様によれば、本願は、モノのインターネットにおけるＳＭＳ処理方法を提供する。方法は、端末デバイスにより、パケット交換ＰＳドメイン内のモビリティ管理ネットワークエレメントに非共同登録要求を送信する段階であって、非共同登録要求は、ＰＳドメインへの端末デバイスの登録を実行するために用いられ、非共同登録要求は、ＳＭＳのみのインジケーション情報を保持する、段階と、端末デバイスにより、ＰＳドメイン内のモビリティ管理ネットワークエレメントにより送信された第１インジケーション情報を受信する段階であって、第１インジケーション情報は、ＰＳドメイン内のモビリティ管理ネットワークエレメントが共同手順を用いないＳＭＳ転送をサポートしていないことを示すために用いられ、ＰＳドメイン内のモビリティ管理ネットワークエレメントが、端末デバイスにより送信された非共同登録要求を受信した後、ＰＳドメイン内のモビリティ管理ネットワークエレメントが共同手順を用いないＳＭＳ転送をサポートしていないと判定した場合に、第１インジケーション情報は、端末デバイスに送信される、段階とを含む。
【００３４】
ＳＭＳのみのインジケーション情報は、端末デバイスがＳＭＳサービスを取得することを要求することを示すために用いられることが理解されるべきである。言い換えれば、ＳＭＳのみのインジケーション情報は、端末デバイスがＳＭＳを転送する必要があることを示すために用いられる。
【００３５】
本発明の本実施形態において、端末デバイスは、ＳＭＳサービスを取得すべく、ＰＳドメイン管理ネットワークエレメントに非共同登録要求を送信する。ＰＳドメイン内のモビリティ管理ネットワークエレメントが共同手順を用いないＳＭＳ転送機能をサポートしていない場合、ＰＳドメイン管理ネットワークエレメントは、「ネットワーク側が共同手順を用いないＳＭＳ転送機能をサポートしていない」という情報を端末に直接通知してよく、その結果、ＵＥは、ＳＭＳサービスを取得する挙動を最適化する。ネットワーク側がＳＭＳサービスを提供できないという理由を知ることをＵＥができない従来技術と比較して、本実施形態において提供される技術的解決法は、ユーザのＳＭＳサービス体験を改善し得る。
【００３６】
実現可能な実装例において、方法は、端末デバイスにより、ＰＳドメイン内のモビリティ管理ネットワークエレメントに共同登録要求を送信する段階であって、共同登録要求は、ＳＭＳのみのインジケーション情報を保持する段階、又は、端末デバイスにより、ＳＭＳサービスを取得することを再要求すべく、トラッキングエリア再選択、ロケーションエリア再選択又は公衆陸上移動体ネットワークＰＬＭＮ選択という動作のうちのいずれか１つを実行する段階をさらに含む。
【００３７】
さらに、ＵＥは、ネットワーク側が共同手順を用いないＳＭＳ転送機能をサポートしていないので、ネットワーク側がＳＭＳサービスを提供できないことを知る。この場合、ＵＥが、ＳＭＳサービスを取得し続ける必要がある場合、ＵＥは、共同登録手順を開始する。代替的に、ＵＥは、別の位置又は別のネットワークにおいてＳＭＳサービスを取得することを再要求することを試みてよい。本発明の本実施形態において提供される技術的解決法では、ＳＭＳ‐ｉｎ‐ＭＭＥがＰＳドメイン管理ネットワークエレメントに配備されていない場合、ＵＥは、ネットワーク側においてＳＭＳサービスが利用できないことを知り得る。これは、ＵＥがＳＭＳを取得する挙動を最適化することに役立ち、その結果、ＵＥは、ＳＭＳサービスを迅速に取得できる。
【００３８】
第５態様によれば、本願は、第１態様又は第１態様の可能な実装例のうちのいずれか１つに係る方法を実行するように構成されるモビリティ管理ネットワークエレメントを提供する。具体的には、モビリティ管理ネットワークエレメントは、第１態様又は第１態様の可能な実装例のうちのいずれか１つに係る方法を実行するように構成されるユニットを含む。
【００３９】
第６態様によれば、本願は、第２態様又は第２態様の可能な実装例のうちのいずれか１つに係る方法を実行するように構成される端末デバイスを提供する。具体的には、端末デバイスは、第２態様又は第２態様の可能な実装例のうちのいずれか１つに係る方法を実行するように構成されるユニットを含む。
【００４０】
第７態様によれば、本願は、第３態様又は第３態様の可能な実装例のうちのいずれか１つに係る方法を実行するように構成されるモビリティ管理ネットワークエレメントを提供する。具体的には、モビリティ管理ネットワークエレメントは、第３態様又は第３態様の可能な実装例のうちのいずれか１つに係る方法を実行するように構成されるユニットを含む。
【００４１】
第８態様によれば、本願は、第４態様又は第４態様の可能な実装例のうちのいずれか１つに係る方法を実行するように構成される端末デバイスを提供する。具体的には、端末デバイスは、第４態様又は第４態様の可能な実装例のうちのいずれか１つに係る方法を実行するように構成されるユニットを含む。
【００４２】
第９態様によれば、本願は、モビリティ管理ネットワークエレメントを提供する。モビリティ管理ネットワークエレメントは、プロセッサ及びメモリを含む。メモリは、コンピュータプログラムを格納するように構成され、プロセッサは、メモリからコンピュータプログラムを呼び出して、コンピュータプログラムを起動するように構成される。プログラムが起動された場合、モビリティ管理ネットワークエレメントは、第１態様又は第１態様の可能な実装例のうちのいずれか１つに係る方法を実行する。
【００４３】
第１０態様によれば、本願は、端末デバイスを提供する。端末デバイスは、プロセッサ及びメモリを含む。メモリは、コンピュータプログラムを格納するように構成され、プロセッサは、メモリからコンピュータプログラムを呼び出して、コンピュータプログラムを起動するように構成される。プログラムが起動された場合、端末デバイスは、第２態様又は第２態様の可能な実装例のうちのいずれか１つに係る方法を実行する。
【００４４】
第１１態様によれば、本願は、モビリティ管理ネットワークエレメントを提供する。モビリティ管理ネットワークエレメントは、プロセッサ及びメモリを含む。メモリは、コンピュータプログラムを格納するように構成され、プロセッサは、メモリからコンピュータプログラムを呼び出して、コンピュータプログラムを起動するように構成される。プログラムが起動された場合、モビリティ管理ネットワークエレメントは、第３態様又は第３態様の可能な実装例のうちのいずれか１つに係る方法を実行する。
【００４５】
第１２態様によれば、本願は、端末デバイスを提供する。端末デバイスは、プロセッサ及びメモリを含む。メモリは、コンピュータプログラムを格納するように構成され、プロセッサは、メモリからコンピュータプログラムを呼び出して、コンピュータプログラムを起動するように構成される。プログラムが起動された場合、端末デバイスは、第４態様又は第４態様の可能な実装例のうちのいずれか１つに係る方法を実行する。
【００４６】
第１３態様によれば、本願は、コンピュータプログラムを格納するように構成されるコンピュータ可読媒体を提供し、コンピュータプログラムは、第１態様又は第１態様の可能な実装例のうちのいずれか１つに係る方法を実行するために用いられる命令を含む。
【００４７】
第１４態様によれば、本願は、コンピュータプログラムを格納するように構成されるコンピュータ可読媒体を提供し、コンピュータプログラムは、第２態様又は第２態様の可能な実装例のうちのいずれか１つに係る方法を実行するために用いられる命令を含む。
【００４８】
第１５態様によれば、本願は、コンピュータプログラムを格納するように構成されるコンピュータ可読媒体を提供し、コンピュータプログラムは、第３態様に係る方法を実行するために用いられる命令を含む。
【００４９】
第１６態様によれば、本願は、コンピュータプログラムを格納するように構成されるコンピュータ可読媒体を提供し、コンピュータプログラムは、第４態様又は第４態様の可能な実装例のうちのいずれか１つに係る方法を実行するために用いられる命令を含む。
【００５０】
本発明の実施形態において提供されるモノのインターネットにおけるＳＭＳ処理方法によれば、モビリティ管理ネットワークエレメントは、非共同登録手順（Ｎｏｒｍａｌ  Ａｔｔａｃｈ／ＴＡＵとも称される）から共同登録手順（Ｃｏｍｂｉｎｅｄ  Ａｔｔａｃｈ／ＴＡＵ）への変換を実行して、モノのインターネット端末デバイスが、非共同登録手順から共同登録手順への変換を知らない場合に、モノのインターネット端末デバイスにＳＭＳサービスを提供する。
【図面の簡単な説明】
【００５１】
本発明の実施形態における技術的解決法をより明確に説明すべく、以下では、本発明の実施形態を説明するために必要な添付の図面を簡潔に説明する。以下の説明における添付の図面は、単に一部の本発明の実施形態を示すに過ぎず、当業者であれば、創造努力なくこれら添付の図面から他の図面を導き出し得ることは明らかである。
【００５２】
【図１】本発明の実施形態に適用可能なシステムアーキテクチャの模式図を示す。
【００５３】
【図２】本発明の実施形態に適用可能な別のシステムアーキテクチャの模式図を示す。
【００５４】
【図３】本発明の実施形態に係るモノのインターネットにおけるＳＭＳ処理システムの模式図を示す。
【００５５】
【図４】本発明の実施形態に係るコンピュータデバイスの模式図を示す。
【００５６】
【図５】本発明の実施形態に係るモノのインターネットにおけるＳＭＳ処理方法のフローチャートである。
【００５７】
【図６】本発明の別の実施形態に係るモノのインターネットにおけるＳＭＳ処理方法のフローチャートである。
【００５８】
【図７】本発明の実施形態に係るモノのインターネットにおけるＳＭＳ処理方法のフローチャートである。
【００５９】
【図８】本発明の別の実施形態に係るモノのインターネットにおけるＳＭＳ処理方法のフローチャートである。
【００６０】
【図９】本発明のさらに別の実施形態に係るモノのインターネットにおけるＳＭＳ処理方法のフローチャートである。
【００６１】
【図１０】本発明の実施形態に係るモビリティ管理ネットワークエレメントの概概略ブロック図を示す。
【００６２】
【図１１】本発明の実施形態に係る端末デバイスの概略ブロック図を示す。
【００６３】
【図１２】本発明の別の実施形態に係るモビリティ管理ネットワークエレメントの概略ブロック図を示す。
【００６４】
【図１３】本発明の別の実施形態に係る端末デバイスの概略ブロック図を示す。
【発明を実施するための形態】
【００６５】
本発明の実施形態における添付の図面に関連して、本発明の実施形態における技術的解決法を以下で明確かつ十分に説明する。説明される実施形態が本発明の実施形態の一部であって全てではないことは明らかである。創造努力なく本発明の実施形態に基づいて、当業者により得られた他の全ての実施形態は、本発明の保護範囲に含まれるものとする。
【００６６】
本発明の実施形態は、セルラ方式のモノのインターネット又は将来の通信システム（例えば、５Ｇ）におけるモノのインターネットなど、異なるタイプのモノのインターネットに適用可能であってよい。これは、本発明の実施形態において限定されるものではない。
【００６７】
まず、本発明の実施形態に関連する概念が説明される。
【００６８】
非共同登録（ｎｏｎ‐ｃｏｍｂｉｎｅｄ  ｒｅｇｉｓｔｒａｔｉｏｎ）は、コアネットワーク内のＰＳドメインへの端末デバイスの登録のみが実行されることを示す。
【００６９】
非共同登録手順（ｎｏｎ‐ｃｏｍｂｉｎｅｄ  ｒｅｇｉｓｔｒａｔｉｏｎ  ｐｒｏｃｅｄｕｒｅ）は、非共同登録を実行するために、端末デバイスにより開始される手順である。端末デバイスは、非共同登録要求を送信することにより非共同登録手順を開始する。
【００７０】
共同登録（ｃｏｍｂｉｎｅｄ  ｒｅｇｉｓｔｒａｔｉｏｎ）は、コアネットワーク内の回線交換ドメイン（ＣＳドメイン）への、及び、パケット交換ドメイン（ＰＳドメイン）への端末デバイスの登録が同時に実行されることを示す。
【００７１】
共同登録手順（ｃｏｍｂｉｎｅｄ  ｒｅｇｉｓｔｒａｔｉｏｎ  ｐｒｏｃｅｄｕｒｅ）は、共同登録を実行するために、端末デバイスにより開始される手順である。端末デバイスは、共同登録要求を送信することにより共同登録手順を開始する。
【００７２】
以下の実施形態における非共同登録要求又は共同登録要求は、ＳＭＳのみ（ＳＭＳ  ｏｎｌｙ）のインジケーション情報を保持することに留意されるべきである。非共同登録要求は、通常登録（ｎｏｒｍａｌ  ｒｅｇｉｓｔｒａｔｉｏｎ）要求とも称されてよく、具体的には、非共同アタッチ（ｎｏｎ‐ｃｏｍｂｉｎｅｄ  ａｔｔａｃｈ又はｎｏｒｍａｌ  ａｔｔａｃｈ）要求、非共同トラッキングエリア更新（ｎｏｎ‐ｃｏｍｂｉｎｅｄ  Ｔｒａｃｋｉｎｇ  Ａｒｅａ  Ｕｐｄａｔｅ、ｎｏｎ‐ｃｏｍｂｉｎｅｄ  ＴＡＵ、又はｎｏｒｍａｌ  ＴＡＵ）要求、非共同ルーティングエリア更新（ｎｏｎ‐ｃｏｍｂｉｎｅｄ  Ｒｏｕｔｉｎｇ  Ａｒｅａ  Ｕｐｄａｔｅ、  ｎｏｎ‐ｃｏｍｂｉｎｅｄ  ＲＡＵ又はｎｏｒｍａｌ  ＲＡＵ）要求、非共同ロケーションエリア更新（ｎｏｎ−ｃｏｍｂｉｎｅｄ  Ｌｏｃａｔｉｏｎ  Ａｒｅａ  Ｕｐｄａｔｅ、ｎｏｎ−ｃｏｍｂｉｎｅｄ  ＬＡＵ、又は、ｎｏｒｍａｌ  ＬＡＵ）要求などを含んでよい。共同登録要求は、具体的には、共同アタッチ（ｃｏｍｂｉｎｅｄ  ａｔｔａｃｈ）要求、共同トラッキングエリア更新（ｃｏｍｂｉｎｅｄ  Ｔｒａｃｋｉｎｇ  Ａｒｅａ  Ｕｐｄａｔｅ、ｃｏｍｂｉｎｅｄ  ＴＡＵ）要求、共同ルーティングエリア更新（ｃｏｍｂｉｎｅｄ  Ｒｏｕｔｉｎｇ  Ａｒｅａ  Ｕｐｄａｔｅ、ｃｏｍｂｉｎｅｄ  ＲＡＵ）要求、共同ロケーションエリア更新（ｃｏｍｂｉｎｅｄ  Ｌｏｃａｔｉｏｎ  Ａｒｅａ  Ｕｐｄａｔｅ、ｃｏｍｂｉｎｅｄ  ＬＡＵ）要求などを含んでよい。
【００７３】
以下の実施形態において、パケット交換ＰＳドメイン内のモビリティ管理ネットワークエレメントが端末デバイスにＳＭＳサービスを提供できないということは、具体的には、ＰＳドメイン内のモビリティ管理ネットワークエレメントがＰＳドメインを通じて端末デバイスにＳＭＳを転送できないということを含むことに留意されるべきである。言い換えれば、ＰＳドメイン内のモビリティ管理ネットワークエレメントは、ＳＭＳ‐ｉｎ‐ＭＭＥを介してＳＭＳサービスを提供できない。代替的に、ＰＳドメイン内のモビリティ管理ネットワークエレメントは、共同手順を用いないＳＭＳ転送（ＳＭＳ  ｔｒａｎｓｆｅｒ  ｗｉｔｈｏｕｔ  ｃｏｍｂｉｎｅｄ  ｐｒｏｃｅｄｕｒｅ）をサポートしていない。代替的に、回線交換ＣＳドメイン内のモビリティ管理ネットワークエレメントは、ＣＳドメインへの端末デバイスの登録を拒否する。
【００７４】
図１は、本発明の実施形態に適用可能なシステムアーキテクチャの模式図を示す。図１に示されるように、ＭＭＥは、ＳＭＳを転送するための２つの経路を提供してよい。すなわち、（１）ＭＭＥは、ＣＳドメイン内のＳＧｓインタフェースを通じてＳＭＳを転送（ＳＭＳ‐ｏｖｅｒ‐ＳＧｓ）し、具体的には、アップリンク及びダウンリンクＳＭＳ転送が、ＳＧｓインタフェース及びモバイルサービス切替センタ（Ｍｏｂｉｌｅ‐ｓｅｒｖｉｃｅｓ  Ｓｗｉｔｃｈｉｎｇ  Ｃｅｎｔｒｅ、ＭＳＣ）／ビジタロケーションレジスタ（Ｖｉｓｉｔｏｒｓ  Ｌｏｃａｔｉｏｎ  Ｒｅｇｉｓｔｅｒ、ＶＬＲ）を通じて、ＭＭＥとＳＭＳ‐ＧＭＳＣ／ＩＷＭＳＣ／ＳＭＳルータとの間で実行される。（２）ＭＭＥは、ＰＳドメイン内のＳＧｄインタフェースを通じてＳＭＳを転送（ＳＭＳ‐ｉｎ‐ＭＭＥ）し、具体的には、アップリンク及びダウンリンクＳＭＳ転送が、ＳＧｄインタフェースを通じて、ＭＭＥとＳＭＳ‐ＧＭＳＣ／ＩＷＭＳＣ／ＳＭＳルータとの間で直接実行される。さらに、ＭＭＥは、サービングゲートウェイ（Ｓｅｒｖｉｎｇ  Ｇａｔｅｗａｙ、Ｓ−ＧＷ）及びパケットデータネットワーク（Ｐａｃｋｅｔ  Ｄａｔａ  Ｎｅｔｗｏｒｋ、ＰＤＮ）ゲートウェイ（ＰＤＮ  Ｇａｔｅｗａｙ、Ｐ−ＧＷ）を用いることにより、ＰＳドメインデータ転送サービスをＵＥに提供してよい。
【００７５】
図２は、本発明の実施形態に適用可能な別のシステムアーキテクチャの模式図を示す。図２に示されるように、セルラ方式のモノのインターネットのサービングゲートウェイノード（ＣＩｏＴ  Ｓｅｒｖｉｎｇ  Ｇａｔｅｗａｙ  Ｎｏｄｅ、Ｃ−ＳＧＮ）は、ＭＭＥ、サービングゲートウェイ（Ｓｅｒｖｉｎｇ  Ｇａｔｅｗａｙ、Ｓ−ＧＷ）及びパケットデータネットワーク（Ｐａｃｋｅｔ  Ｄａｔａ  Ｎｅｔｗｏｒｋ、ＰＤＮ）ゲートウェイ（ＰＤＮ  Ｇａｔｅｗａｙ、Ｐ−ＧＷ）からなる統合されたネットワークエレメントである。統合されたネットワークエレメントＣ‐ＳＧＮにより提供される機能及び外部インタフェースは、図１の対応するＭＭＥ、Ｓ−ＧＷ及びＰＤＮ‐ＧＷのものと一致する。
【００７６】
本発明の本実施形態において、ＰＳドメイン管理ネットワークエレメントを実装するための機能は、１つのネットワークエレメントに統合されてよい、又は、複数の異なるネットワークエレメント上で別個に構成されてよい。これは、本発明の本実施形態において限定されるものではない。
【００７７】
さらに、本発明の実施形態において提供されるモノのインターネットにおけるＳＭＳ処理方法は、将来の通信ネットワーク（例えば、５Ｇ）におけるユーザプレーンから制御プレーンが分離されたアーキテクチャ、ネットワークにおけるネットワークスライスのアーキテクチャなどに適用されてよい。これは、本発明の実施形態において限定されるものではない。
【００７８】
図３は、本発明の実施形態に係るモノのインターネットにおけるＳＭＳ処理システム１００の模式図を示す。図３に示されるように、システム１００は、ＰＳドメイン１０１内のモビリティ管理ネットワークエレメント及び端末デバイス１０２を含む。任意選択で、システム１００は、ＣＳドメイン１０３内のモビリティ管理ネットワークエレメントをさらに含む。
【００７９】
本発明の本実施形態におけるＰＳドメイン１０１内のモビリティ管理ネットワークエレメントは、既存の２Ｇ／３Ｇネットワーク又はＥＰＳ内の別のモビリティ管理ネットワークエレメント、及び、将来の通信システム（例えば、５Ｇ）におけるコアネットワーク内のネットワークエレメントに適用可能であってよい。
【００８０】
本発明の本実施形態における端末デバイス１０２は、ユーザ機器（Ｕｓｅｒ  Ｅｑｕｉｐｍｅｎｔ、ＵＥ）、ターミナル（Ｔｅｒｍｉｎａｌ）、モバイルユーザ機器などと称されてもよい。端末デバイス１０２は、無線アクセスネットワーク（例えば、Ｒａｄｉｏ  Ａｃｃｅｓｓ  Ｎｅｔｗｏｒｋ、ＲＡＮ）を通じて１又は複数のコアネットワークと通信してよい。端末デバイスは、携帯電話（又は、「セルラ」フォンと称される）及び移動端末を有するコンピュータなどの移動端末であってよい。例えば、端末デバイスは、ポータブル、ポケットサイズ、ハンドヘルド、コンピュータ内蔵型又は車載型モバイル装置であってよく、端末デバイスは、音声及び／又はデータを無線アクセスネットワークと交換する。本発明の本実施形態において、端末デバイスは、携帯電話、インテリジェント端末（ウェアラブルデバイス、スマートウォッチ、スマートメータ、スマートウォーターメータなど）、マルチメディアデバイス、ストリーミングデバイス及びＭＴＣにおける端末デバイスを含む。
【００８１】
本発明の本実施形態における端末デバイスがモノのインターネット端末デバイスであることにさらに留意すべきである。モノのインターネット端末デバイスは、低価格、シンプルな機能、低消費電力及び頻繁ではないユーザデータ転送についてのアプリケーション機能を有する。簡潔に表現するために、以下の実施形態において、モノのインターネット端末デバイスは、端末デバイスと称される。
【００８２】
図３に示されるＰＳドメイン１０１内のモビリティ管理ネットワークエレメントは、図１に示されるＭＭＥであってよい、又は、図２に示されるＣ‐ＳＧＮであってよい。端末デバイス１０２は、図１及び図２に示されるＵＥであってよい。任意選択で、システム１００が、ＣＳドメイン内のモビリティ管理ネットワークエレメントを含む場合、ＣＳドメイン内のモビリティ管理ネットワークエレメントは、図１及び図２に示されるＭＳＣ／ＶＬＲであってよい。
【００８３】
図３に示されるＰＳドメイン管理ネットワークエレメント１０１及び端末デバイス１０２は、図４に示されるコンピュータデバイス（又はシステム）２００を用いることにより、実装されてよいことに留意されるべきである。任意選択で、システム１００が、ＣＳドメイン１０３内のモビリティ管理ネットワークエレメントを含む場合、ＣＳドメイン１０３内のモビリティ管理ネットワークエレメントは、図４に示されるコンピュータデバイス２００を用いることにより実装されてもよい。
【００８４】
図４は、本発明の実施形態に係るコンピュータデバイス（又はシステム）２００の模式図である。コンピュータデバイス２００は、少なくとも１つのプロセッサ２０１、メモリ２０２、通信バス２０３及び少なくとも１つの通信インタフェース２０４を含む。
【００８５】
プロセッサ２０１は、中央処理装置（ＣＰＵ）、マイクロプロセッサ、特定用途向け集積回路（ａｐｐｌｉｃａｔｉｏｎ‐ｓｐｅｃｉｆｉｃ  ｉｎｔｅｇｒａｔｅｄ  ｃｉｒｃｕｉｔ、ＡＳＩＣ）、又は、本発明の解決策のプログラム実行を制御するように構成される１又は複数の集積回路であってよい。
【００８６】
メモリ２０２は、リードオンリメモリ（ｒｅａｄ‐ｏｎｌｙ  Ｍｅｍｏｒｙ、ＲＯＭ）若しくは静的情報及び命令を格納できる別のタイプの静的ストレージデバイス、又は、ランダムアクセスメモリ（ｒａｎｄｏｍ  ａｃｃｅｓｓ  ｍｅｍｏｒｙ、ＲＡＭ）若しくは情報及び命令を格納できる別のタイプの動的ストレージデバイスであってよい、又は、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ‐Ｏｎｌｙ  Ｍｅｍｏｒｙ、ＣＤ‐ＲＯＭ）若しくは別のコンパクトディスクストレージ、光ディスクストレージ（コンパクトディスク、レーザディスク、光ディスク、デジタル多目的ディスク、ブルーレイディスク（登録商標）などを含む）、ディスクストレージ媒体若しくは別のディスクストレージデバイス、又は、命令又はデータ構造の形式で予想されるプログラムコードを保持又は格納するために用いられることができ、かつ、コンピュータによりアクセスされることができる任意の他の媒体であってよい。しかしながら、メモリ２０２は、本明細書において限定されるものではない。メモリは、独立して存在してよく、通信バス２０３を用いることによりプロセッサに接続される。代替的に、メモリは、プロセッサと統合されてよい。
【００８７】
メモリ２０２は、本発明の解決策を実行するためのアプリケーションプログラムコードを格納するように構成され、プロセッサ２０１は、メモリ２０２内に格納されたアプリケーションプログラムコードを実行するように構成される。
【００８８】
実施形態における具体的な実施例では、プロセッサ２０１は、１又は複数のＣＰＵ、例えば、図４に示されるＣＰＵ０及びＣＰＵ１を含んでよい。
【００８９】
実施形態における具体的な実施例では、コンピュータデバイス２００は、複数のプロセッサを含んでよく、各プロセッサは、シングルコア（ｓｉｎｇｌｅ‐ＣＰＵ）プロセッサであってよい、又は、マルチコア（ｍｕｌｔｉ‐ＣＰＵ）プロセッサであってよい。本明細書において、プロセッサは、データ（例えば、コンピュータプログラム命令）を処理するように構成される１又は複数のデバイス、回路及び／又は処理コアであってよい。
【００９０】
実施形態における具体的な実施例では、コンピュータデバイス２００は、出力デバイス２０５及び入力デバイス２０６をさらに含んでよい。出力デバイス２０５は、プロセッサ２０１と通信し、複数の方式で情報を表示してよい。例えば、出力デバイス２０５は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、ブラウン管（ｃａｔｈｏｄｅ  ｒａｙ  ｔｕｂｅ、ＣＲＴ）、ディスプレイデバイス、プロジェクタ（ｐｒｏｊｅｃｔｏｒ）などであってよい。入力デバイス２０６は、プロセッサ２０１と通信し、複数の方式でユーザの入力を受信してよい。例えば、入力デバイスは、マウス、キーボード、タッチスクリーンデバイス、感知デバイスなどであってよい。
【００９１】
コンピュータデバイス２００は、汎用コンピュータデバイス又は専用のコンピュータデバイスであってよい。具体的な実施例において、コンピュータデバイス２００は、デスクトップコンピュータ、ポータブルコンピュータ、ネットワークサーバ、パーソナルデジタルアシスタント（Ｐｅｒｓｏｎａｌ  Ｄｉｇｉｔａｌ  Ａｓｓｉｓｔａｎｔ、ＰＤＡ）、携帯電話、タブレットコンピュータ、無線端末デバイス、通信デバイス、組み込みデバイス又は図４中のものと同様の構造を有するデバイスであってよい。コンピュータデバイス２００のタイプは、本発明の本実施形態において限定されるものではない。
【００９２】
理解及び説明しやすくするために、以下では、例として図１に示されるアーキテクチャを用いることにより、及び、ＥＰＳネットワーク内のモビリティ管理エンティティ（Ｍｏｂｉｌｉｔｙ  Ｍａｎａｇｅｍｅｎｔ  Ｅｎｔｉｔｙ、ＭＭＥ）がＰＳドメイン内のモビリティ管理ネットワークエレメントとして用いられる例を用いることにより、本発明の実施形態のモノのインターネットにおけるＳＭＳ処理方法を説明する。
【００９３】
本発明の実施形態において、「第１」及び「第２」といった順番は、異なる対象間を区別する、例えば、異なるインジケーション情報を区別することが単に意図されているに過ぎず、本発明の実施形態の保護範囲に何らかの限定を加えるものとして解釈されるものではないことが理解されるべきである。
【００９４】
前述の方法の実施形態に示される段階又は操作は、単なる例に過ぎず、他の操作又は様々な操作の変形が実行されてよいことがさらに理解されるべきである。さらに、具体的な実施例において、段階は、本発明の実施形態におけるシーケンスとは異なるシーケンスで実行されてよく、本発明の実施形態において示される全ての操作又は段階が実行されるわけではない可能性がある。代替的に、本発明の実施形態に示される操作又は段階よりも多くの操作又は段階が実行されてよい。
【００９５】
理解及び説明しやすくするために、以下では、ＭＭＥがＰＳドメイン内のモビリティ管理ネットワークエレメントとして用いられ、ＭＳＣ／ＶＬＲがＣＳドメイン内のモビリティ管理ネットワークエレメントとして用いられる例を用いることにより、本発明の実施形態のモノのインターネットにおけるＳＭＳ処理方法を詳細に説明する。
【００９６】
本発明の実施形態において、ＵＥにより送信された（ＳＭＳのみのインジケーション情報を保持する）非共同登録要求を受信した後、ＭＭＥが共同手順を用いないＳＭＳ転送「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートするか否かに基づいて、ＭＭＥは、異なる処理手順を別個に実行する。以下では、ＭＭＥが「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしているケース（理解及び説明しやすくするために、ケース１として以下に表される）、及び、ＭＭＥが「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないケース（理解及び説明しやすくするために、当該ケースは、ケース２として以下に表される）を別個に説明する。
【００９７】
ケース１：
【００９８】
ＭＭＥは、「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしている。
【００９９】
図５は、本発明の実施形態に係るモノのインターネットにおけるＳＭＳ処理方法３００のフローチャートを示す。図５に示されるように、方法３００は、主に、段階３０１及び段階３０２を含む。
【０１００】
３０１．ＵＥは、ＭＭＥに非共同登録要求を送信し、ＭＭＥは、ＵＥにより送信された非共同登録要求を受信する。
【０１０１】
非共同登録要求は、ＰＳドメインへの端末デバイスの登録を実行するために用いられる。非共同登録要求は、ＳＭＳのみのインジケーション情報を保持する。
【０１０２】
本発明の実施形態において、ＳＭＳのみのインジケーション情報は、端末デバイスがＳＭＳサービスを取得することを要求することを示すために用いられる。言い換えれば、ＳＭＳのみのインジケーション情報は、端末デバイスがＳＭＳを転送する必要があることを示すために用いられる。
【０１０３】
本発明の本実施形態において、端末デバイスは、ＭＭＥに非共同登録要求を送信し、非共同登録要求は、端末デバイスが「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートすることを示すべく、ＳＭＳのみのインジケーション情報を保持することが理解され得る。言い換えれば、端末デバイスは、（ＳＭＳのみのインジケーション情報を保持する）非共同登録要求をＭＭＥに送信して、ＰＳドメインへの登録を実行することを要求し、これにより、ネットワーク側からＳＭＳサービスを取得する。
【０１０４】
３０２．ＭＭＥがＰＳドメインを通じてＵＥに対してＳＭＳを転送できないと判定した場合、ＭＭＥは、ＣＳドメインへのＵＥの登録を開始するか否かを判定する。
【０１０５】
ＭＭＥが「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしている場合、ＵＥにより送信された（ＳＭＳのみのインジケーション情報を保持する）非共同登録要求を受信したときに、ＭＭＥは、まず、ＭＭＥがＰＳドメインを通じてＳＭＳを転送できるか否かを判定する必要があることが理解され得る。言い換えれば、ＭＭＥは、ＭＭＥがＳＭＳ‐ｉｎ‐ＭＭＥを介してＳＭＳサービスを提供できるか否かを判定する。
【０１０６】
ＭＭＥがＰＳドメインを通じてＵＥに対してＳＭＳサービスを提供できないと判定した場合、ＭＭＥは、さらに、ＣＳドメインへのＵＥの登録を開始するか否かを判定する。
【０１０７】
具体的には、ＭＭＥがＰＳドメインを通じてＵＥに対してＳＭＳを転送できるか否かのＭＭＥによる判定の処理については、従来技術を参照する。繰り返しを避けるために、詳細がここで説明されることはない。
【０１０８】
ＭＭＥがＣＳドメインへのＵＥの登録を開始するか否かを判定した後に、２つのケース（区別しやすくするために、２つのケースは、以下にケース１．１及びケース１．２として別個に表される）があり得ることが理解され得る。
【０１０９】
ケース１．１：
【０１１０】
ＭＭＥは、ＣＳドメインへのＵＥの登録を開始しないと判定する。
【０１１１】
この場合、ＭＭＥは、段階３０３を実行する。
【０１１２】
３０３．ＭＭＥは、ネットワーク側がＳＭＳサービスを提供しないことを示すインジケーション情報をＵＥに送信し、ＵＥは、ＭＭＥにより送信され、ネットワーク側がＳＭＳサービスを提供しないことを示すインジケーション情報を受信する。
【０１１３】
ケース１．２：
【０１１４】
ＭＭＥは、ＣＳドメインへのＵＥの登録を開始すると判定する。
【０１１５】
この場合、ＭＭＥは、段階３０４及び後続の段階を実行する。
【０１１６】
３０４．ＭＭＥは、ＭＳＣ／ＶＬＲにロケーション更新要求を送信し、ＭＳＣ／ＶＬＲは、ＭＭＥにより送信されたロケーション更新要求を受信する。
【０１１７】
ロケーション更新要求は、ＣＳドメインへの端末デバイスの登録を実行するために用いられる。
【０１１８】
任意選択で、実施形態において、方法はさらに以下の段階を含む。
【０１１９】
３０５．ＭＳＣ／ＶＬＲは、ＭＭＥにロケーション更新受諾メッセージを送信し、ＭＭＥは、ＭＳＣ／ＶＬＲにより送信されたロケーション更新受諾メッセージを受信し、ロケーション更新受諾メッセージは、ネットワーク側がＣＳドメインへの端末デバイスの登録を受諾したことを示すために用いられる。
【０１２０】
本実施形態において、ＭＳＣ／ＶＬＲは、ＭＭＥにより送信されたロケーション更新要求を受信する。ＭＳＣ／ＶＬＲがＣＳドメインへのＵＥの登録を受諾した場合、ＭＳＣ／ＶＬＲは、ＭＭＥに更新ロケーション受諾メッセージを送信する。
【０１２１】
任意選択で、実施形態において、ロケーション更新受諾メッセージは、ＣＳドメインモビリティ管理パラメータを含み、方法はさらに以下の段階を含む。
【０１２２】
ＭＭＥは、ＣＳドメインモビリティ管理パラメータを格納し、その結果、ＭＭＥが、再びＣＳドメインへの端末デバイスの登録を実行する必要がある場合、ＣＳドメインモビリティ管理パラメータは、ＣＳドメインへの端末デバイスの登録を実行するために用いられる。
【０１２３】
本実施形態において、ＭＭＥは、端末デバイスにＳＭＳサービスを提供すべく、ＣＳドメインへのＵＥの登録を要求する。ＣＳドメイン内のモビリティ管理ネットワークエレメント（例えば、ＭＳＣ／ＶＬＲ）は、ＣＳドメインへの端末デバイスの登録が受諾され得るか否かを判定する。具体的には、ＭＳＣ／ＶＬＲによる、ＣＳへの端末デバイスの登録が受諾され得るか否かを判定する方式については、従来技術を参照する。詳細がここで説明されることはない。
【０１２４】
ＭＳＣ／ＶＬＲは、ＣＳドメインへの端末デバイスの登録が受諾され得ると判定した場合、ＭＳＣ／ＶＬＲは、ＭＭＥにロケーション更新受諾メッセージを送信する。このように、ＭＭＥは、端末デバイスがＣＳドメインへの登録に成功したことを知り、ＣＳドメインを通じて端末デバイスに対してＳＭＳサービスを提供し得る。たとえＳＭＳがＰＳドメインを通じて転送されることができないとしても、ＣＳドメインへの端末デバイスの登録が成功した場合には、端末デバイスは、ネットワーク側がＳＭＳサービスを提供するのがどの経路であるかということに注意を払う必要がない、言い換えれば、端末は、ネットワーク側がＳＭＳサービスを提供するのはどの経路かを知らない。ゆえに、ＳＭＳサービスのユーザエクスペリエンスが改善され得る。
【０１２５】
任意選択で、ＭＳＣ／ＶＬＲは、ＣＳドメインモビリティ管理パラメータをロケーション更新受諾メッセージにさらに追加してよく、その結果、ＣＳドメインへの端末デバイスの登録をその後に再開する場合に、ＭＭＥは、ＣＳドメインモビリティ管理パラメータを用いる。しかしながら、ＭＭＥは、端末デバイスにＣＳドメインモビリティ管理パラメータを送信しない。この場合、端末デバイスは、ＭＭＥが、端末デバイスに、ＣＳドメインへの端末デバイスの登録を要求することを知らない。
【０１２６】
任意選択で、実施形態において、方法はさらに以下の段階を含む。
【０１２７】
３０６．ＭＳＣ／ＶＬＲは、ＭＭＥにロケーション更新拒否メッセージを送信し、ＭＭＥは、ＭＳＣ／ＶＬＲにより送信されたロケーション更新拒否メッセージを受信し、ロケーション更新拒否メッセージは、ＭＳＣ／ＶＬＲがＣＳドメインへの端末デバイスの登録を拒否したことを示すために用いられる。
【０１２８】
３０７．ＭＭＥは、ＵＥに第１インジケーション情報を送信し、第１インジケーション情報は、ネットワーク側が端末デバイスにＳＭＳサービスを提供できないことを示すために用いられ、ＵＥは、ＭＭＥにより送信された第１インジケーション情報を受信する。
【０１２９】
本実施形態では、前述の実施形態とは異なり、ＭＳＣ／ＶＬＲがＣＳドメインへの端末デバイスの登録が受諾され得ないと判定した場合、ＭＳＣ／ＶＬＲは、ＭＭＥにロケーション更新拒否メッセージを送信する。ＭＭＥは、ＣＳドメインへの端末デバイスの登録が失敗したことを知り得る。この場合、ＰＳドメイン及びＣＳドメインのどちらも、端末デバイスにＳＭＳサービスを提供できない。ゆえに、ＭＭＥは、ネットワーク側がＳＭＳサービスを提供できないことをＵＥに示してよく、その結果、ＵＥは、ＳＭＳサービスを取得する要求を再開する、又は、別の位置又は別のネットワークにおいてＳＭＳサービスを取得することを試みる。
【０１３０】
任意選択で、実施形態において、方法はさらに以下の段階を含む。
【０１３１】
３０８．ＵＥは、タイマを開始し、タイマが時間切れになった場合、ＭＭＥに非共同登録要求を再送信し、非共同登録要求は、ＳＭＳのみのインジケーション情報を保持する。
【０１３２】
３０９．ＵＥは、ＳＭＳサービスを取得することを再要求すべく、トラッキングエリア（Ｔｒａｃｋｉｎｇ  Ａｒｅａ、ＴＡ）再選択、ロケーションエリア（Ｌｏｃａｔｉｏｎ  Ａｒｅａ、ＬＡ）再選択又は公衆陸上移動体ネットワーク（Ｐｕｂｌｉｃ  Ｌａｎｄ  Ｍｏｂｉｌｅ  Ｎｅｔｗｏｒｋ、ＰＬＭＮ）選択という動作のうちのいずれか１つを実行する。
【０１３３】
３１０．ＵＥは、ＭＭＥに対する共同登録要求を開始し、ＭＭＥは、ＵＥにより送信された共同登録要求を受信し、共同登録要求は、ＳＭＳのみのインジケーション情報を保持する。
【０１３４】
本発明の本実施形態において、ネットワーク側がＳＭＳサービスを提供できないことが分かった後に、ＵＥはタイマを開始してよい。タイマが時間切れになった後、ＵＥは、ＭＭＥに（ＳＭＳのみのインジケーション情報を保持する）非共同登録要求を送信し続けて、ＳＭＳサービスを取得することを再要求する。代替的に、ＵＥは、ＴＡ、ＬＡ又はＰＬＭＮ選択を実行して、別の位置又は別のネットワークにおいてＳＭＳサービスを取得することを試みてよい。代替的に、ＵＥは、ネットワーク側に対して、（ＳＭＳのみのインジケーション情報を保持する）共同登録要求を開始する。言い換えれば、ＵＥは、従来技術を用いることによりＳＭＳサービスを取得する。
【０１３５】
ＴＡ再選択は、新たなＴＡにおける適切なセル（ｓｕｉｔａｂｌｅ  ｃｅｌｌ）を選択することにより、ＵＥにより実行され、ＬＡ再選択は、新たなＬＡにおける適切なセル（ｓｕｉｔａｂｌｅ  ｃｅｌｌ）を選択することにより、ＵＥにより実行される。具体的には、ＴＡ再選択、ＬＡ再選択及びＰＬＭＮ選択の処理については、従来技術を参照する。詳細がここで説明されることはない。
【０１３６】
本実施形態において、ＭＭＥは、非共同登録手順（Ｎｏｒｍａｌ  Ａｔｔａｃｈ／ＴＡＵとも称される）から共同登録手順（Ｃｏｍｂｉｎｅｄ  Ａｔｔａｃｈ／ＴＡＵとも称される）への変換を実行し、非共同登録要求を開始するＵＥに対するＳＧｓインタフェースの接続を確立し、それにより、ＣＳドメインへのＵＥの登録の実行に成功する。ゆえに、ＳＭＳ‐ｉｎ‐ＭＭＥがネットワーク側に配備されていない場合、ＳＭＳサービスが、モノのインターネット端末デバイスに対して提供され得る。
【０１３７】
方法３００におけるＭＭＥ又はＵＥにより実行される動作は、メモリに格納された命令を実行することにより、プロセッサにより実装されてよいことが理解されるべきである。
【０１３８】
ケース２：
【０１３９】
ＭＭＥは、「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていない。
【０１４０】
図６は、本発明の別の実施形態に係るモノのインターネットにおけるＳＭＳ処理方法４００のフローチャートを示す。図６に示されるように、本実施形態において、方法４００は、主に、段階４１０及び段階４２０を含む。
【０１４１】
４１０．ＵＥは、ＭＭＥに非共同登録要求を送信し、ＭＭＥは、ＵＥにより送信された非共同登録要求を受信し、非共同登録要求は、ＳＭＳのみのインジケーション情報を保持する。
【０１４２】
具体的には、段階４１０に関して、前述の段階３０１における説明を参照する。詳細がここで説明されることはない。
【０１４３】
４２０．ＭＭＥが、共同手順を用いないＳＭＳ転送（ＳＭＳ  ｔｒａｎｓｆｅｒ  ｗｉｔｈｏｕｔ  ｃｏｍｂｉｎｅｄ  ｐｒｏｃｅｄｕｒｅ）をサポートしていないとＭＭＥが判定した場合、ＭＭＥは、端末デバイスに第１インジケーション情報を送信し、第１インジケーション情報は、ＰＳドメイン内のモビリティ管理ネットワークエレメントが共同手順を用いないＳＭＳ転送をサポートしていないことを示すために用いられる。
【０１４４】
対応して、ＵＥは、受信した第１インジケーション情報に基づいて、ＭＭＥが共同手順を用いないＳＭＳ転送をサポートしていないので、ＭＭＥがＳＭＳサービスを提供できないことを知ることができる。
【０１４５】
任意選択で、実施形態において、方法はさらに以下の段階を含む。
【０１４６】
４３０．ＵＥは、ＭＭＥに共同登録要求を送信し、共同登録要求は、ＳＭＳが転送される必要があることを示すインジケーション情報を保持する。ＭＭＥは、ＵＥにより送信された共同登録要求を受信する。
【０１４７】
４４０．ＵＥは、ＳＭＳサービスを取得することを再要求すべく、トラッキングエリアＴＡ再選択、ロケーションエリアＬＡ再選択又は公衆陸上移動体ネットワークＰＬＭＮ選択という動作のうちのいずれか１つを実行する。
【０１４８】
本実施形態において、ＵＥは、ＭＭＥが「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないことを知ることが理解され得る。ＵＥが現在位置又は現在のネットワークにおいてＳＭＳサービスを取得することを再要求する必要がある場合、ＵＥは、ＭＭＥに（ＳＭＳのみのインジケーション情報を保持する）共同登録要求を送信しなくてはならない。代替的に、ＵＥは、トラッキングエリア再選択、ロケーションエリア再選択又はＰＬＭＮ選択を実行して、別の位置又は別のネットワークにおいてＳＭＳサービスを取得することを試みてよい。
【０１４９】
段階４３０及び段階４４０の具体的な実施例の処理については、従来技術を参照する。詳細がここで説明されることはない。
【０１５０】
本発明の本実施形態において、ＭＭＥが、共同手順を用いないＳＭＳ転送「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないときに、ＭＭＥが、端末デバイスにより送信された（ＳＭＳのみのインジケーション情報を保持する）非共同登録要求を受信した場合、ＭＭＥは、インジケーション情報をＵＥに送信することにより、ネットワーク側がＳＭＳサービスを提供できないことをＵＥに通知してよい。具体的には、ＭＭＥは、ネットワーク側がＳＭＳサービスを提供できないという理由をＵＥに通知してよい。このように、ＵＥが、ＳＭＳサービスを実行し続ける必要がある場合、ＵＥは、対応する方式で、ＳＭＳサービスを取得することを再要求してよい。
【０１５１】
本実施形態において、ＭＭＥが「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないときに、ＵＥにより送信され、かつ、ＳＭＳサービスを取得することを要求するために用いられる非共同登録要求を、ＭＭＥが受信した場合、ＭＭＥは、明確な方式で、ネットワーク側がＳＭＳサービスを提供できない理由をＵＥに通知することが分かり得る。理由が分かった場合、ＵＥは、ＵＥの挙動を最適化することにより、ＳＭＳサービスを再び取得することを試みてよい。ネットワーク側がＳＭＳサービスを提供できないという理由をＵＥが知ることができない従来技術と比較して、本実施形態において提供される技術的解決法は、ＳＭＳサービスに関するユーザのサービス体験を改善し得る。
【０１５２】
方法４００におけるＭＭＥ又はＵＥにより実行される動作は、メモリに格納された命令を実行することにより、プロセッサにより実装されてよいことが理解されるべきである。
【０１５３】
以下の説明では、複数の実施形態を参照して、本発明の実施形態におけるＳＭＳ処理方法を説明する。
【０１５４】
図７は、本発明の実施形態に係るモノのインターネットにおけるＳＭＳ処理方法の概略フローチャートを示す。図７に示されるように、具体的な処理は、以下の段階を含む。
【０１５５】
５０１．ＵＥは、ＭＭＥに非共同登録要求を送信し、ネットワーク側のＰＳドメインへの登録を要求する。ＭＭＥは、ＵＥにより送信された非共同登録要求を受信する。
【０１５６】
具体的には、非共同登録要求は、複数の形式であってよい。例えば、非共同登録要求は、非共同アタッチ要求又は非共同ロケーション更新要求であってよい。
【０１５７】
非共同登録要求が非共同アタッチ要求（非共同登録要求の例）である場合、アタッチ要求は、アタッチタイプ（Ａｔｔａｃｈ  Ｔｙｐｅ）情報（アタッチタイプ情報エレメントとも称される）を保持する。アタッチタイプ情報は、進化型パケットシステムアタッチ（ＥＰＳ  Ａｔｔａｃｈ）である。「ＥＰＳ  Ａｔｔａｃｈ」は、ＵＥがＰＳドメインに登録要求（非共同登録要求）のみを開始することを示す。
【０１５８】
非共同登録要求が非共同ロケーション更新要求（非共同登録要求の例）である場合、ロケーション更新要求は、更新タイプ（Ｕｐｄａｔｅ  Ｔｙｐｅ）情報（更新タイプ情報エレメントとも称される）を保持する。更新タイプ情報は、トラッキングエリア更新（Ｔｒａｃｋｉｎｇ  Ａｒｅａ  ｕｐｄａｔｉｎｇ）であり、ＵＥがＰＳドメインに対してロケーション更新要求（非共同ロケーション更新要求）のみを開始することを示す。
【０１５９】
さらに、非共同アタッチ要求又は非共同ロケーション更新要求は、ＳＭＳのみのインジケーション情報を保持し、ＳＭＳのみのインジケーション情報は、ＵＥがＳＭＳサービスを取得することを要求することを示すために用いられる。言い換えれば、ＵＥは、ＳＭＳを転送する必要がある。例えば、非共同アタッチ要求又は非共同ロケーション更新要求は、ＵＥがＳＭＳサービスを実行する必要があることを示す「ＳＭＳ  ｏｎｌｙ」インジケーションを保持する。
【０１６０】
５０２．ＭＭＥは、ＭＭＥがＰＳドメインにおいてＳＭＳサービスをＵＥに提供できるか否かを判定する。
【０１６１】
具体的には、ＭＭＥにより、ＭＭＥがＰＳドメインにおいてＳＭＳサービスをＵＥに提供できるか否か、又は、ＭＭＥがＳＭＳ‐ｉｎ‐ＭＭＥを介してＳＭＳサービスをＵＥに提供できるか否かを判定する方式については、従来技術を参照する。詳細がここで説明されることはない。例えば、ＭＭＥがＳＧｄインタフェースをサポートするか否か、ＭＭＥがＳＭＳ‐ｉｎ‐ＭＭＥをサポートするか否か、又は、ホーム加入者サーバ（Ｈｏｍｅ  Ｓｕｂｓｃｒｉｂｅｒ  Ｓｅｒｖｅｒ、ＨＳＳ）がＳＭＳ‐ｉｎ‐ＭＭＥに加入しているか否かなどの要因に基づいて、ＭＭＥは判定を実行してよい。
【０１６２】
ＭＭＥがＰＳドメインにおいてＳＭＳサービスをＵＥに提供できる、言い換えれば、ＭＭＥがＳＭＳ‐ｉｎ‐ＭＭＥを介してＳＭＳサービスをＵＥに提供できるとＭＭＥが判定した場合、段階５０３が実行される。ＭＭＥがＰＳドメインにおいてＳＭＳサービスをＵＥに提供できない、言い換えれば、ＭＭＥがＳＭＳ‐ｉｎ‐ＭＭＥを介してＳＭＳサービスをＵＥに提供できないとＭＭＥが判定した場合、段階５０４及び後続の段階が実行される。
【０１６３】
５０３．ＭＭＥは、アタッチ受諾メッセージ又はロケーション更新受諾メッセージをＵＥに送信し、ＵＥは、ＭＭＥにより送信されたアタッチ受諾メッセージ又はロケーション更新受諾メッセージを受信する。
【０１６４】
段階５０１に対応して、アタッチ受諾メッセージが送信される場合、アタッチ受諾メッセージは、アタッチ結果（Ａｔｔａｃｈ  Ｒｅｓｕｌｔ）情報（アタッチ結果情報エレメントとも称される）を保持する。アタッチ結果情報は、ＵＥがＰＳドメインのみへの登録に成功したことを示す「ＥＰＳ  ｏｎｌｙ」である。ロケーション更新受諾メッセージが送信される場合、ロケーション更新受諾メッセージは、更新結果（Ｕｐｄａｔｅ  Ｒｅｓｕｌｔ）情報（更新結果情報エレメントとも称される）を保持する。更新結果情報は、ＵＥがＰＳドメインに対するロケーション更新の完了に成功したことを示す「Ｔｒａｃｋｉｎｇ  Ａｒｅａ  ｕｐｄａｔｉｎｇ」である。
【０１６５】
さらに、アタッチ受諾メッセージ又はロケーション更新受諾メッセージは、ネットワーク側がＵＥにＳＭＳサービスを提供できることを示す「ＳＭＳ  ｏｎｌｙ」情報を保持する。
【０１６６】
ＭＭＥがＭＭＥサービスにおいてＳＭＳをＵＥに提供できる場合、段階５０３が実行された後に、手順全体が狩猟することが理解されるべきである。
【０１６７】
５０４．ＭＭＥは、ＣＳドメインへのＵＥの登録を開始するか否かを判定する。
【０１６８】
具体的には、ＭＭＥがＣＳドメインへのＵＥの登録を開始するか否かを判定した後に、２つのケース（区別しやすくするために、２つのケースは、以下にケース＃Ａ及びケース＃Ｂとして別個に表される）がある。
【０１６９】
ケース＃Ａ：
【０１７０】
ＭＭＥは、ＣＳドメインへのＵＥの登録を開始しないと判定する。
【０１７１】
ケース＃Ａにおいて、ＭＭＥは、段階５０５を実行する。
【０１７２】
５０５．ＭＭＥは、ネットワーク側がＳＭＳサービスを提供しないことを示すインジケーション情報をＵＥに送信し、ＵＥは、ＭＭＥにより送信され、かつ、ネットワーク側がＳＭＳサービスを提供しないことを示すインジケーション情報を受信する。
【０１７３】
ＭＭＥにより送信され、ＳＭＳサービスが提供されることができないことを示すインジケーション情報を受信した場合、ＵＥは、以下の動作又は手順のうちのいずれか１つを実行して、ネットワーク側からＳＭＳサービスを再び取得することを要求してよいことが前述の説明から分かり得る。ＵＥは、ＳＭＳのみのインジケーション情報を保持する非共同登録要求をＭＭＥに送信する。ＵＥは、ＳＭＳのみのインジケーション情報を保持する共同登録要求をＭＭＥに送信する、又は、ＵＥは、ＬＡ再選択、ＬＡ再選択又はＰＬＭＮ選択を実行する。詳細がここで説明されることはない。
【０１７４】
ケース＃Ｂ：
【０１７５】
ＭＭＥは、ＣＳドメインへのＵＥの登録を開始すると判定する。
【０１７６】
ケース＃Ｂにおいて、ＭＭＥは、段階５０６及び後続の段階を実行する。
【０１７７】
５０６．ＭＭＥは、ＣＳドメインネットワークエレメント、つまり、モバイルサービス切替センタＭＳＣ／ビジタロケーションレジスタＶＬＲにロケーション更新要求を送信して、ＣＳドメインへのＵＥの登録を要求し、ＭＳＣ／ＶＬＲは、ＭＭＥにより送信されたロケーション更新要求を受信する。
【０１７８】
具体的には、ＭＭＥは、更新タイプ（Ｕｐｄａｔｅ  Ｔｙｐｅ）情報（更新タイプ情報エレメントとも称される）をロケーション更新要求に追加する。更新タイプ情報は、通常のロケーション更新（ｎｏｒｍａｌ  ｌｏｃａｔｉｏｎ  ｕｐｄａｔｅ）である。
【０１７９】
ＭＭＥがＭＭＥサービスにおけるＳＭＳをＵＥに提供できない場合、ＭＭＥは、ＣＳドメイン内のＭＳＣ／ＶＬＲにロケーション更新要求を送信することが理解され得る。これは、実際には、非共同登録手順から共同登録手順への変換を実行する。
【０１８０】
５０７．ＭＳＣ／ＶＬＲが、ＵＥに関するＣＳドメインへのロケーション更新要求を受諾した場合、ＭＳＣ／ＶＬＲは、ＭＭＥにロケーション更新受諾メッセージを送信し、ＭＭＥは、ＭＳＣ／ＶＬＲにより送信されたロケーション更新受諾メッセージを受信する。
【０１８１】
任意選択で、ロケーション更新受諾メッセージは、ＭＳＣ／ＶＬＲによりＵＥに割り当てられたＣＳドメインモビリティ管理パラメータを保持する。
【０１８２】
ＵＥにより送信された非共同登録要求をＭＭＥが受信した後、ＭＭＥがＣＳドメインロケーション更新要求を送信したことを、ＭＳＣ／ＶＬＲは知らないことに留意されるべきである。言い換えれば、ＭＳＣ／ＶＬＲは、ＭＭＥが非共同登録手順から共同登録手順への変換を実行することを知らない。ＭＳＣ／ＶＬＲは、従来技術に関連してＵＥに対するＣＳドメインロケーション更新手順を実行し、ＣＳドメインモビリティ管理パラメータをＵＥに割り当てる。ＣＳドメインモビリティ管理パラメータは、ＵＥに対するＳＧｓインタフェースの接続を確立し、ＣＳドメインへのＵＥの登録を実行するために用いられる。
【０１８３】
具体的には、ＣＳドメインモビリティ管理パラメータは、ロケーションエリア識別情報（Ｌｏｃａｔｉｏｎ  Ａｒｅａ  Ｉｄｅｎｔｉｔｙ、ＬＡＩ）、一時的移動体加入者識別情報（Ｔｅｍｐｏｒａｒｙ  Ｍｏｂｉｌｅ  Ｓｕｂｓｃｒｉｂｅｒ  Ｉｄｅｎｔｉｔｙ、ＴＭＳＩ）、国際移動体加入者識別情報（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）などを含む。ＬＡＩ、ＴＭＳＩ及びＩＭＳＩの説明については従来技術を参照する。詳細がここで説明されることはない。
【０１８４】
５０８．ＭＭＥは、ＣＳドメインモビリティ管理パラメータを格納し、その結果、ＭＭＥが、再びＣＳドメインへのＵＥの登録を実行する必要がある場合、ＣＳドメインモビリティ管理パラメータは、ＣＳドメインへのＵＥの登録を実行するために用いられる。
【０１８５】
ＭＳＣ／ＶＬＲへの（ＣＳドメインへのＵＥの登録を実行する）ＳＧｓロケーション更新手順が、ＵＥに関して開始される場合、ＭＭＥにより格納されたＣＳドメイン管理パラメータがその後に用いられてよいことが理解されるべきである。
【０１８６】
ＭＭＥが、ＭＳＣ／ＶＬＲにより送信されたＣＳドメインモビリティ管理パラメータを受信して格納するが、ＣＳドメインモビリティ管理パラメータをＵＥに送信しないことに留意されるべきである。ＵＥの視点から、ＵＥは、段階５０１において、ネットワーク側のＰＳドメインへの登録のみを開始する。具体的には、ＵＥは、ＵＥにより送信された非共同登録要求をＭＭＥが受信した後、ＭＭＥによりＣＳドメインに送信されたロケーション更新要求を知らない。言い換えれば、ＵＥは、ＭＭＥが非共同登録手順から共同登録手順への変換を実行することを知らない。
【０１８７】
５０９．ＭＭＥは、アタッチ受諾メッセージ又はロケーション更新受諾メッセージをＵＥに送信し、ＵＥは、ＭＭＥにより送信されたアタッチ受諾メッセージ又はロケーション更新受諾メッセージを受信する。
【０１８８】
段階５０９におけるアタッチ受諾メッセージ及びロケーション更新受諾メッセージについては、段階５０３における説明を参照することに留意されるべきである。簡潔にするために、詳細がここで説明されることはない。
【０１８９】
ＭＭＥがＭＭＥサービスにおいてＳＭＳをＵＥに提供できない場合、段階５０３が直接実行され、ネットワーク側がＳＭＳサービスを提供できることをＵＥに示すことが前述手順から分かり得る。しかしながら、ＭＭＥがＭＭＥサービスにおいてＳＭＳをＵＥに提供できず、ＭＭＥがＣＳドメインへのＵＥの登録を開始すると判定した場合、段階５０６から段階５０８が実行され、その結果、ＭＭＥは、ＵＥについての非共同登録から共同登録への変換処理を完了する。段階５０９において、ＭＭＥは、ネットワーク側がＳＭＳサービスを提供できることをＵＥに示す。ＵＥは、この処理を知らないことが理解され得る。
【０１９０】
本実施形態において、ＭＭＥは、非共同登録手順（Ｎｏｒｍａｌ  Ａｔｔａｃｈ／ＴＡＵとも称される）から共同登録手順（Ｃｏｍｂｉｎｅｄ  Ａｔｔａｃｈ／ＴＡＵとも称される）への変換を実行して、非共同登録要求を開始するＵＥに対するＳＧｓインタフェースの接続を確立し、それにより、ＣＳドメインへのＵＥの登録の実行に成功する。ゆえに、ネットワーク側がＭＭＥサービスにおいてＳＭＳをサポートしていない場合、ＳＭＳサービスは、ＵＥに提供されることができない。これは、ＵＥのＳＭＳサービス要件を保証し、オペレータが、ＳＭＳサービスをサポートするためにネットワーク側でＳＭＳ‐ｉｎ‐ＭＭＥ機能を強制的に展開することを防止し、その結果、ＳＭＳサービスをモノのインターネット端末デバイスに提供することができ、ユーザエクスペリエンスが改善される。
【０１９１】
ＭＭＥがＭＳＣ／ＶＬＲにロケーション更新要求を送信して、ＣＳドメインへのＵＥの登録を要求することが理解され得る。ＭＳＣ／ＶＬＲが、ＵＥに関するＣＳドメインへのロケーション更新要求を受諾した場合、段階５０５が実行される。ＭＳＣ／ＶＬＲが、ＵＥに関するＣＳドメインへのロケーション更新要求を拒否する場合の本発明の実施形態でのモノのインターネットにおけるＳＭＳ処理方法の手順が、図８を参照して説明される。
【０１９２】
本実施形態におけるＭＭＥ又はＵＥにより実行される動作は、メモリに格納された命令を実行することにより、プロセッサにより実装されてよいことが理解されるべきである。
【０１９３】
図８は、本発明の別の実施形態に係るモノのインターネットにおけるＳＭＳ処理方法の概略フローチャートを示す。
【０１９４】
６０１−６０４．ＵＥは、ＭＭＥに非共同登録要求を送信し、ＭＭＥは、ＵＥにより送信された非共同登録要求を受信する。ＭＭＥがＭＭＥサービスにおけるＳＭＳをＵＥに提供できないとＭＭＥが判定した場合、ＭＭＥは、ＣＳドメイン内のＭＳＣ／ＶＬＲにロケーション更新要求を送信して、ＣＳドメインへのＵＥの登録を要求する。ＭＳＣ／ＶＬＲは、ＭＭＥにより送信されたロケーション更新要求を受信する。
【０１９５】
本実施形態において、段階６０２の後及び段階６０４の前に、ＭＭＥは、ＣＳドメインへのＵＥの登録手順を開始するか否かを判定する必要があることに留意されるべきである。具体的な処理については、前述の段階５０４を参照する。繰り返しを避けるためには、この段階の説明は、本明細書において省略される。ＣＳドメインへのＵＥの登録を開始すると判定した場合、ＭＭＥは、段階６０４及び後続の段階を実行する。
【０１９６】
本実施形態において、ＭＭＥが、ＣＳドメインへのＵＥの登録を開始しないと判定した場合、前述の段階５０５における説明を参照することが理解されるべきである。繰り返しを避けるために、この段階の説明も本明細書において省略される。
【０１９７】
具体的には、段階６０１から段階６０４に関して、段階５０１から段階５０６における説明を参照する。簡潔にするため、詳細がここで説明されることはない。
【０１９８】
６０５．ＭＳＣ／ＶＬＲがＵＥに対するＣＳドメインへのロケーション更新要求を拒否する場合、ＭＳＣ／ＶＬＲは、ＭＭＥにロケーション更新拒否メッセージを送信し、ＭＭＥは、ＭＳＣ／ＶＬＲにより送信されたロケーション更新拒否メッセージを受信する。
【０１９９】
具体的には、ＭＳＣ／ＶＬＲは、拒否理由情報をロケーション更新拒否メッセージに追加する。本発明の本実施形態において、ＭＳＣ／ＶＬＲは、障害により引き起こされるＣＳドメイン輻輳制御及びＭＳＣ／ＶＬＲの再開などの要因に基づいて、ＣＳドメインへのＵＥの登録を受諾するか否かを判定してよい。具体的な判定処理については、従来技術を参照する。詳細がここで説明されることはない。
【０２００】
任意選択で、ロケーション更新拒否メッセージは、ＣＳドメインモビリティ管理パラメータを保持する。
【０２０１】
６０６．ＭＭＥが、ＭＳＣ／ＶＬＲにより送信されたロケーション更新拒否メッセージを受信した後に、ＵＥがＰＳドメインへの登録に成功した場合、ＭＭＥは、アタッチ受諾メッセージ又はロケーション更新受諾メッセージをＵＥに送信し、ＵＥは、ＭＭＥにより送信されたアタッチ受諾メッセージ又はロケーション更新受諾メッセージを受信する。
【０２０２】
前述の説明（前述の段階５０３を参照）と同様に、アタッチ受諾メッセージは、ＵＥがＰＳドメインへの登録に成功したことを示す、アタッチ結果情報（例えば、アタッチ結果情報は、「ＥＰＳ  ｏｎｌｙ」であってよい）を保持する。ロケーション更新受諾メッセージは、更新結果情報を保持する。同様に、更新結果情報は、ＵＥがＰＳドメインへの登録に成功したことを示すために用いられる。
【０２０３】
ＵＥがＣＳドメインへの登録に失敗した場合、アタッチ受諾メッセージ又はロケーション更新受諾メッセージは、ネットワーク側がＳＭＳサービスを提供できないことを示すインジケーション情報をさらに保持することに留意されるべきである（区別しやすくするために、インジケーション情報は、以下ではインジケーション情報＃１として表される）。
【０２０４】
ＭＭＥは、複数の方式でＵＥにインジケーション情報＃１を送信してよく、例えば、ＭＭＥは、アタッチ受諾メッセージ又はロケーション更新受諾メッセージに原因値を追加してよい。代替的に、ＭＭＥは、アタッチ受諾メッセージ又はロケーション更新受諾メッセージに含まれる既存の情報エレメント（例えば、アタッチ結果情報エレメント又は更新結果情報エレメント（前述の段階５０３を参照））にインジケーションビットを追加してよい。代替的に、ＭＭＥは、アタッチ受諾メッセージ又はロケーション更新受諾メッセージに含まれる既存の情報エレメント（例えば、アタッチ結果情報エレメント又は更新結果情報エレメント（前述の段階５０３を参照））内の既存のインジケーションビットの値を変更してよい（例えば、ＭＭＥは、ビットの「ＳＭＳ  ｏｎｌｙ」の値を「００」に変更する）。代替的に、段階６０６を実行した後、具体的には、アタッチ受諾メッセージ又はロケーション更新受諾メッセージを送信した後、ＭＭＥは、専用メッセージを用いることにより、ＵＥにインジケーション情報＃１を別個に送信してよい。代替的に、ＭＭＥは、技術的に別の可能な方式で、ＵＥにインジケーション情報＃１を送信してよい。これは、本発明の本実施形態において限定されるものではない。
【０２０５】
ＭＭＥがＰＳドメインにおいてＳＭＳサービスを提供できあにので、ＵＥは、ＣＳドメインへの登録に失敗し、ネットワーク側は、ＵＥにＳＭＳサービスを提供できないことが理解され得る。
【０２０６】
対応して、ＵＥは、ＭＭＥにより送信されたアタッチ受諾メッセージ又はロケーション更新受諾メッセージを受信する。
【０２０７】
ＭＭＥにより送信されたアタッチ受諾メッセージ又はロケーション更新受諾メッセージを受信した後、ＵＥは、インジケーション情報＃１に基づいて、ネットワーク側がＳＭＳサービスを提供できないことを知ることができることが理解されるべきである。
【０２０８】
任意選択で、ＵＥは、段階６０７、段階６０８又は段階６０９のうちのいずれか１つを実行する。
【０２０９】
６０７．ＵＥは、タイマを開始し、タイマが時間切れになった場合、ＭＭＥに非共同登録要求を再送信し、現在位置においてＳＭＳサービスを取得することを試み続ける。言い換えれば、実行は、段階６０１から開始する。
【０２１０】
６０８．ＵＥは、ＴＡ再選択、ＬＡ再選択又はＰＬＭＮ選択を開始して、別の位置又は別のネットワークにおいてＳＭＳサービスを取得する。
【０２１１】
６０９．ＵＥは、ＭＭＥに対する共同登録要求を開始し、ＭＭＥは、ＵＥにより送信された共同登録要求を受信し、共同登録要求は、ＳＭＳのみのインジケーション情報を保持する。
【０２１２】
段階６０９において、ＵＥは、従来技術を用いることによりＳＭＳサービスを取得する。
【０２１３】
ＥＰＳサービスが影響を受けないことを保証すべく、ネットワーク側がＳＭＳサービスを提供できないことが分かった後に、ＵＥは、ＳＭＳサービスが継続されないことを受諾してよいことが理解され得る。当然ながら、ＵＥは、任意の動作を実行してよい。
【０２１４】
本実施形態において、ＭＭＥは、非共同登録手順（Ｎｏｒｍａｌ  Ａｔｔａｃｈ／ＴＡＵとも称される）から共同登録手順（Ｃｏｍｂｉｎｅｄ  Ａｔｔａｃｈ／ＴＡＵとも称される）への変換を実行して、非共同登録要求を開始するＵＥに対するＣＳドメインへの登録を実行する。ＣＳドメインへの登録が失敗した場合、ＭＭＥは、ＵＥにインジケーション情報を送信し、ネットワーク側がＵＥにＳＭＳサービスを提供できないことをＵＥに通知し、その結果、ＵＥは、異なる動作を実行することにより、ＳＭＳサービスを再び取得することを試みることができる。これは、オペレータが、ＵＥのＳＭＳサービスをサポートするためにネットワーク側でＳＭＳ‐ｉｎ‐ＭＭＥ機能を強制的に展開することを防止し、それにより、ユーザエクスペリエンスを改善する。
【０２１５】
本実施形態におけるＭＭＥ又はＵＥにより実行される動作は、メモリに格納された命令を実行することにより、プロセッサにより実装されてよいことが理解されるべきである。
【０２１６】
図９は、本発明のさらに別の実施形態に係るモノのインターネットにおけるＳＭＳ処理方法の概略フローチャートを示す。図９に示されるように、方法は、主に、以下の段階を含む。
【０２１７】
７０１．ＵＥは、ＭＭＥに対する非共同登録要求を開始し、ＭＭＥは、ＵＥにより送信された非共同登録要求を受信する。
【０２１８】
具体的な処理については、段階５０１における説明を参照する。簡潔にするため、詳細がここで説明されることはない。
【０２１９】
７０２．ＭＭＥは、ＰＳドメインへのＵＥの登録を実行する。
【０２２０】
本実施形態において、ＭＭＥが「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないことに留意されるべきである。具体的には、ＵＥにより送信され、かつ、ＳＭＳのみのインジケーション情報を保持する非共同登録要求を受信した後、ＭＭＥは、ＰＳドメインへのＵＥの登録のみを実行し、ＣＳドメインへの登録を実行しない。
【０２２１】
７０３．ＭＭＥがＰＳドメインへのＵＥの登録の実行に成功した場合、ＭＭＥは、アタッチ受諾メッセージ又はロケーション更新受諾メッセージをＵＥに送信し、ＵＥは、ＭＭＥにより送信されたアタッチ受諾メッセージ又はロケーション更新受諾メッセージを受信する。
【０２２２】
アタッチ受諾メッセージ又はロケーション更新受諾メッセージについては、前述の説明を参照する。詳細がここで説明されることはない。
【０２２３】
本実施形態において、ＭＭＥが「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていない場合、ＭＭＥは、ＵＥに送信されたアタッチ受諾メッセージ又はロケーション更新受諾メッセージに、ネットワーク側が「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないことを示すインジケーション情報を追加することに留意されるべきである（区別しやすくするために、インジケーション情報は、以下では、インジケーション情報＃２として表される）。
【０２２４】
ＭＭＥは、複数の方式でＵＥにインジケーション情報＃２を送信してよい。例えば、ＭＭＥは、アタッチ受諾メッセージ又はロケーション更新受諾メッセージに原因値を追加してよい。代替的に、ＭＭＥは、アタッチ受諾メッセージ又はロケーション更新受諾メッセージに含まれる既存の情報エレメント（例えばＥＰＳネットワーク機能サポート（ＥＰＳ  ｎｅｔｗｏｒｋ  ｆｅａｔｕｒｅ  ｓｕｐｐｏｒｔ）情報エレメント）にインジケーションビットを追加してよい。代替的に、ＭＭＥは、アタッチ受諾メッセージ又はロケーション更新受諾メッセージに含まれる既存の情報エレメント（例えば、ＥＰＳネットワーク機能サポート（ＥＰＳ  ｎｅｔｗｏｒｋ  ｆｅａｔｕｒｅ  ｓｕｐｐｏｒｔ）情報エレメント）内の既存のインジケーションビットの値を変更してよい。代替的に、段階７０３を実行した後、具体的には、アタッチ受諾メッセージ又はロケーション更新受諾メッセージを送信した後、ＭＭＥは、専用メッセージを用いることにより、ＵＥにインジケーション情報＃２を別個に送信してよい。代替的に、ＭＭＥは、技術的に別の可能な方式で、ＵＥにインジケーション情報＃２を送信してよい。これは、本発明の本実施形態において限定されるものではない。
【０２２５】
アタッチ受諾メッセージ又はロケーション更新受諾メッセージを受信した後に、ＵＥは、アタッチ受諾メッセージ又はロケーション更新受諾メッセージにおいて保持されるインジケーション情報＃２に基づいて、ネットワーク側が「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないことを知ることができることが理解され得る。
【０２２６】
この場合、任意選択でＵＥは、段階７０４又は段階７０５を実行してよい。
【０２２７】
７０４．ＵＥは、ＭＭＥに対する共同登録要求を開始し、ＭＭＥは、ＵＥにより送信された共同登録要求を受信し、共同登録要求は、ＳＭＳのみのインジケーション情報を保持する。
【０２２８】
ネットワーク側が「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないことをＵＥが知らないことが理解され得る。ゆえに、ＵＥがネットワーク側からＳＭＳサービスを取得する要求を続けることが必要である場合、ＵＥは、ネットワーク側に対する共同登録要求を開始しなくてはならない。言い換えれば、ＵＥは、従来技術を用いることによりＳＭＳサービスを取得する。
【０２２９】
前述の実施形態において、ネットワーク側がＳＭＳサービスを提供できないことを知ったときに、ＵＥが、ＳＭＳサービスを取得することを要求し続ける必要がある場合、ＵＥは、ＭＭＥに非共同登録要求を再送信して、再びＳＭＳサービスを取得することを試みてよいことが分かり得る。理由は、ネットワーク側がＵＥにＳＭＳサービスを提供できないが、ネットワーク側が「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしているということである。ゆえに、ＵＥが、現在、ＣＳドメイン輻輳又はＭＳＣ／ＶＬＲ障害に起因して、ＣＳドメインへの登録に失敗したので、ネットワーク側は、ＳＭＳサービスをＵＥに現在提供できない可能性がある。ゆえに、ＵＥは、ＭＭＥに非共同登録要求を再送信してよい。ＣＳドメインへのＵＥについての、ＭＭＥにより再び実行される登録が成功するかもしれない。このように、ネットワーク側は、非共同登録手順から共同登録手順への変換を完了して、ＵＥにＳＭＳサービスを提供してよい。
【０２３０】
しかしながら、前述の実施形態とは異なり、本実施形態では、ＵＥは、ネットワーク側がＳＭＳサービスを提供できない代わりに、ネットワーク側が「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないことを知る。ゆえに、ＵＥが現在位置又は現在のネットワークにおいてＳＭＳサービスを取得し続ける必要がある場合、ＵＥは、共同登録要求を開始する必要がある。このように、ＵＥの共同登録要求を受信した後、ＭＭＥは、共同登録手順を実行し、具体的には、ＭＭＥは、ＣＳドメイン内のＭＳＣ／ＶＬＲにロケーション更新要求を送信して、ＣＳドメインへのＵＥの登録を実行する。ＣＳドメインへの登録が成功した場合、ネットワーク側は、ＵＥにＳＭＳサービスを提供して、モノのインターネット端末のＳＭＳサービス要件を満足することができる。
【０２３１】
７０５．ＵＥは、ＴＡ再選択、ＬＡ再選択又はＰＬＭＮ選択手順を開始して、別の位置又は別のネットワークにおいてＳＭＳサービスを取得する。
【０２３２】
現在のネットワーク側が「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないことを知った場合、ＵＥは、別の位置又は別のネットワークにおいてＳＭＳサービスを取得することを要求することを試みてよいことが理解されるべきである。
【０２３３】
本実施形態において、ネットワーク側が「ＳＭＳ  ｔｒａｎｓｆｅｒ  ｗｉｔｈｏｕｔ  ｃｏｍｂｉｎｅｄ  ｐｒｏｃｅｄｕｒｅ」標準機能をサポートしていないときに、ＵＥにより送信され、かつ、ＳＭＳサービスを取得することを要求するために用いられる非共同登録要求を、ＭＭＥが受信した場合、ＭＭＥは、明確な方式で、ネットワーク側がＳＭＳサービスを提供できない理由をＵＥに通知する。理由が分かった場合、ＵＥは、ＵＥの挙動を最適化することにより、ＳＭＳサービスを再び取得することを試みてよい。ネットワーク側がＳＭＳサービスを提供できないという理由をＵＥが知ることができない従来技術と比較して、本実施形態において提供される技術的解決法は、ユーザのサービス体験を改善し得る。
【０２３４】
本実施形態におけるＭＭＥ又はＵＥにより実行される動作は、メモリに格納された命令を実行することにより、プロセッサにより実装されてよいことが理解されるべきである。
【０２３５】
本発明の実施形態において、モノのインターネットにおけるＳＭＳ処理方法が図１から図９を参照して上記で詳細に説明された。本発明の実施形態におけるモビリティ管理ネットワークエレメント及び端末デバイスが、図１０から図１３を参照して以下に説明される。
【０２３６】
図１０は、本発明の実施形態に係るモビリティ管理ネットワークエレメント８００の概略ブロック図を示す。図１０に示されるように、モビリティ管理ネットワークエレメント８００は、
端末デバイスにより送信された非共同登録要求を受信するように構成される受信ユニット８１０であって、非共同登録要求は、ＰＳドメインへの端末デバイスの登録を実行するために用いられ、非共同登録要求は、ＳＭＳのみのインジケーション情報を保持する、受信ユニット８１０と、
モビリティ管理ネットワークエレメントがＰＳドメインを通じて端末デバイスに対してＳＭＳを転送できるか否かを判定するように構成される処理ユニット８２０と、
モビリティ管理ネットワークエレメントがＰＳドメインを通じて端末デバイスに対してＳＭＳを転送できないと処理ユニット８２０が判定した場合、回線交換ＣＳドメイン内のモビリティ管理ネットワークエレメントにロケーション更新要求を送信するように構成される送信ユニット８３０であって、ロケーション更新要求は、ＣＳドメインへの端末デバイスの登録を実行するために用いられる、送信ユニット８３０と
を含む。
【０２３７】
本明細書において、ＳＭＳのみのインジケーション情報は、端末デバイスがＳＭＳサービスを取得することを要求することを示すために用いられる。言い換えれば、ＳＭＳのみのインジケーション情報は、端末デバイスがＳＭＳを転送する必要があることを示すために用いられる。
【０２３８】
本発明の本実施形態において提供されるモビリティ管理ネットワークエレメント８００は、方法３００において説明されたモビリティ管理エンティティ（Ｍｏｂｉｌｉｔｙ  Ｍａｎａｇｅｍｅｎｔ  Ｅｎｔｉｔｙ、ＭＭＥ）に対応し得る。さらに、モビリティ管理ネットワークエレメント８００内のモジュール又はユニットは、それぞれ、方法３００におけるＭＭＥにより実行される対応する手順を実行するように構成される。簡潔にするため、詳細がここで説明されることはない。
【０２３９】
本実施形態において、モビリティ管理ネットワークエレメント８００が機能ユニットの形式で示されることが理解されるべきである。本明細書において、「ユニット」は、特定用途向け集積回路（ａｐｐｌｉｃａｔｉｏｎ‐ｓｐｅｃｉｆｉｃ  ｉｎｔｅｇｒａｔｅｄ  ｃｉｒｃｕｉｔ、ＡＳＩＣ）、回路、１又は複数のソフトウェア又はファームウェアプログラムを実行するプロセッサ及びメモリ、統合されたロジック回路及び／又は前述の機能を提供できる別のコンポーネントであってよい。単純な実施形態において、当業者は、モビリティ管理ネットワークエレメント８００が図４に示される形式であってよいことを想到し得る。受信ユニット８１０、処理ユニット８２０及び送信ユニット８３０は、図４におけるプロセッサ及びメモリを用いることにより実装されてよい。具体的には、プロセッサは、モビリティ管理ネットワークエレメント８００を実装するために、メモリに格納されたコンピュータプログラムを実行する。
【０２４０】
図１１は、本発明の実施形態に係る端末デバイス９００の概略ブロック図を示す。図１１に示されるように、端末デバイス９００は、
パケット交換ＰＳドメイン内のモビリティ管理ネットワークエレメントに非共同登録要求を送信するように構成される送信ユニット９１０であって、非共同登録要求は、ＰＳドメインへの端末デバイスの登録を実行するために用いられ、非共同登録要求は、ＳＭＳのみのインジケーション情報を保持する、送信ユニット９１０と、
ＰＳドメイン内のモビリティ管理ネットワークエレメントにより送信された第１インジケーション情報を受信するように構成される受信ユニット９２０であって、第１インジケーション情報は、ＰＳドメイン内のモビリティ管理ネットワークエレメントが端末デバイスにＳＭＳサービスを提供できないことを示すために用いられ、ＰＳドメイン内のモビリティ管理ネットワークエレメントが、端末デバイスにより送信された非共同登録要求を受信した後、ＰＳドメイン内のモビリティ管理ネットワークエレメントがＰＳドメインを通じて端末デバイスに対してＳＭＳを転送できないと判定した場合に、第１インジケーション情報は、端末デバイスに送信される、受信ユニット９２０と
を含む。
【０２４１】
本明細書において、ＳＭＳのみのインジケーション情報は、端末デバイスがＳＭＳサービスを取得することを要求することを示すために用いられる。言い換えれば、ＳＭＳのみのインジケーション情報は、端末デバイスがＳＭＳを転送する必要があることを示すために用いられる。
【０２４２】
本発明の本実施形態において提供される端末デバイス９００は、方法３００において説明された端末デバイスに対応してよい。さらに、端末デバイス９００内のモジュール又はユニットは、それぞれ、方法３００における端末デバイスにより実行される動作又は処理プロセスを実行するように構成される。簡潔にするため、詳細がここで説明されることはない。
【０２４３】
本実施形態において、端末デバイス９００が機能ユニットの形式で示されることが理解されるべきである。本明細書において、「ユニット」は、特定用途向け集積回路（ａｐｐｌｉｃａｔｉｏｎ‐ｓｐｅｃｉｆｉｃ  ｉｎｔｅｇｒａｔｅｄ  ｃｉｒｃｕｉｔ、ＡＳＩＣ）、回路、１又は複数のソフトウェア又はファームウェアプログラムを実行するプロセッサ及びメモリ、統合されたロジック回路及び／又は前述の機能を提供できる別のコンポーネントであってよい。単純な実施形態において、当業者は、端末デバイス９００が図４に示される形式であってよいことを想到し得る。送信ユニット９１０及び受信ユニット９２０は、図４におけるプロセッサ及びメモリを用いることにより実装されてよい。具体的には、プロセッサは、端末デバイス９００を実装するために、メモリに格納されたコンピュータプログラムを実行する。
【０２４４】
図１２は、本発明の別の実施形態に係るモビリティ管理ネットワークエレメント１０００の概略ブロック図を示す。図１２に示されるように、モビリティ管理ネットワークエレメント１０００は、
端末デバイスにより送信された非共同登録要求を受信するように構成される受信ユニット１１００であって、非共同登録要求は、パケット交換ＰＳドメインへの端末デバイスの登録を実行するために用いられ、非共同登録要求は、ＳＭＳのみのインジケーション情報を保持する、受信ユニット１１００と、
モビリティ管理ネットワークエレメントが端末デバイスにＳＭＳサービスを提供できるか否かを判定するように構成される処理ユニット１２００と、
モビリティ管理ネットワークエレメントが端末デバイスにＳＭＳサービスを提供できないと処理ユニット１２００が判定した場合、端末デバイスに第１インジケーション情報を送信するように構成される送信ユニット１３００であって、第１インジケーション情報は、モビリティ管理ネットワークエレメントが端末デバイスにＳＭＳサービスを提供できないことを示すために用いられる、送信ユニット１３００と
を含む。
【０２４５】
本明細書において、ＳＭＳのみのインジケーション情報は、端末デバイスがＳＭＳサービスを取得することを要求することを示すために用いられる。言い換えれば、ＳＭＳのみのインジケーション情報は、端末デバイスがＳＭＳを転送する必要があることを示すために用いられる。
【０２４６】
本発明の本実施形態において提供されるモビリティ管理ネットワークエレメント１０００は、方法４００において説明されたモビリティ管理エンティティ（Ｍｏｂｉｌｉｔｙ  Ｍａｎａｇｅｍｅｎｔ  Ｅｎｔｉｔｙ、ＭＭＥ）に対応し得る。さらに、モビリティ管理ネットワークエレメント１０００内のモジュール又はユニットは、それぞれ、方法４００におけるＭＭＥにより実行される動作又は処理プロセスを実行するように構成される。簡潔するため、詳細がここで説明されることはない。
【０２４７】
本実施形態において、モビリティ管理ネットワークエレメント１０００が機能ユニットの形式で示されることが理解されるべきである。本明細書において、「ユニット」は、特定用途向け集積回路（ａｐｐｌｉｃａｔｉｏｎ‐ｓｐｅｃｉｆｉｃ  ｉｎｔｅｇｒａｔｅｄ  ｃｉｒｃｕｉｔ、ＡＳＩＣ）、回路、１又は複数のソフトウェア又はファームウェアプログラムを実行するプロセッサ及びメモリ、統合されたロジック回路及び／又は前述の機能を提供できる別のコンポーネントであってよい。単純な実施形態において、当業者は、モビリティ管理ネットワークエレメント１０００が図４に示される形式であってよいことを想到し得る。受信ユニット１１００及び送信ユニット１２００は、図４におけるプロセッサ及びメモリを用いることにより実装されてよい。具体的に、プロセッサは、モビリティ管理ネットワークエレメント１０００を実装するために、メモリに格納されたコンピュータプログラムを実行する。
【０２４８】
図１３は、本発明の別の実施形態に係る端末デバイス２０００の概略ブロック図を示す。図１３に示されるように、端末デバイス２０００は、
パケット交換ＰＳドメイン内のモビリティ管理ネットワークエレメントを非共同登録要求に送信するように構成される送信ユニット２１００であって、非共同登録要求は、ＰＳドメインへの端末デバイスの登録を実行するために用いられ、非共同登録要求は、ＳＭＳのみのインジケーション情報を保持する、送信ユニット２１００と、
ＰＳドメイン内のモビリティ管理ネットワークエレメントにより送信された第１インジケーション情報を受信するように構成される受信ユニット２２００であって、第１インジケーション情報は、モビリティ管理ネットワークエレメントが、共同手順を用いないＳＭＳ転送をサポートしていないことを示すために用いられ、ＰＳドメイン内のモビリティ管理ネットワークエレメントが端末デバイスにより送信された非共同登録要求を受信した後、ＰＳドメイン内のモビリティ管理ネットワークエレメントが、共同手順を用いないＳＭＳ転送をサポートしていないと判定した場合に、第１インジケーション情報は、端末デバイスに送信される、受信ユニット２２００と
を含む。
【０２４９】
本明細書において、ＳＭＳのみのインジケーション情報は、端末デバイスがＳＭＳサービスを取得することを要求することを示すために用いられる。言い換えれば、ＳＭＳのみのインジケーション情報は、端末デバイスがＳＭＳを転送する必要があることを示すために用いられる。
【０２５０】
本発明の本実施形態において提供される端末デバイス２０００は、方法４００において説明された端末デバイスに対応してよい。さらに、端末デバイス２０００内のモジュール又はユニットは、それぞれ、方法４００における端末デバイスにより実行される動作又は処理プロセスを実行するように構成される。簡潔にするため、詳細がここで説明されることはない。
【０２５１】
本実施形態において、端末デバイス２０００が機能ユニットの形式で示されることが理解されるべきである。本明細書において、「ユニット」は、特定用途向け集積回路（ａｐｐｌｉｃａｔｉｏｎ‐ｓｐｅｃｉｆｉｃ  ｉｎｔｅｇｒａｔｅｄ  ｃｉｒｃｕｉｔ、ＡＳＩＣ）、回路、１又は複数のソフトウェア又はファームウェアプログラムを実行するプロセッサ及びメモリ、統合されたロジック回路及び／又は前述の機能を提供できる別のコンポーネントであってよい。単純な実施形態において、当業者は、端末デバイス２０００が図４に示される形式であってよいことを想到し得る。送信ユニット１１００及び受信ユニット１２００は、図４におけるプロセッサ及びメモリを用いることにより実装されてよい。具体的には、プロセッサは、端末デバイス２０００を実装するために、メモリに格納されたコンピュータプログラムを実行する。
【０２５２】
前述の処理のシーケンス番号が本発明の様々な実施形態における実行順序を意味するものでないことが理解されるべきである。処理の実行順序は、処理の機能及び内部論理に従って決定されるべきであり、本発明の実施形態の実装処理に対する何らかの限定として解釈されるべきではない。
【０２５３】
当業者であれば、本明細書に開示された実施形態において説明された例と組み合わせて、ユニット及びアルゴリズムの段階が、電子ハードウェア、又はコンピュータソフトウェア及び電子ハードウェアの組み合わせにより実装され得ることが認識され得る。機能がハードウェア又はソフトウェアにより実行されるかは、技術的解決法の特定の用途及び設計上の制約条件に依存する。当業者であれば、異なる方法を用いて、特定の用途ごとに説明された機能を実装し得るが、そのような実装が本発明の範囲を超えるものとみなされるべきではない。
【０２５４】
簡便で簡潔な説明の目的で、前述のシステム、装置及びユニットの詳細な動作処理については、前述の方法の実施形態における対応する処理を参照することが、当業者により明確に理解され得る。詳細がここで説明されることはない。
【０２５５】
本願において提供されるいくつかの実施形態において開示されたシステム、装置及び方法は、他の方式で実装され得ることが理解されるべきである。例えば、説明された装置の実施形態は、単なる例に過ぎない。例えば、ユニット区分は、単なる論理的な機能区分に過ぎず、実際の実装では他の区分であってよい。例えば、複数のユニット又はコンポーネントが別のシステムに組み合わされるか統合されてよい、又は、一部の機能が無視されるか実行されなくてよい。さらに、表示又は説明された相互結合若しくは直接結合又は通信接続は、一部のインタフェースを用いることにより実装されてよい。装置管又はユニット間の間接的な結合又は通信接続は、電子的、機械的又は他の形式で実装されてよい。
【０２５６】
別個の部品として説明されるユニットは、物理的に別個であってもそうでなくてもよく、ユニットとして表示される部品は、物理ユニットであってもそうでなくてもよく、１箇所に配置されてもよく、又は、複数のネットワークユニットに分散されてもよい。ユニットの一部又は全てが、実施形態の解決策の目的を実現するために、実際の要件に従って選択されてよい。
【０２５７】
さらに、本発明の実施形態における機能ユニットは、１つの処理ユニットに統合されてよい、又は、ユニットのそれぞれが、物理的に単独で存在してよい、又は、２又はそれより多いユニットが１つのユニットに統合される。
【０２５８】
機能がソフトウェア機能ユニットの形式で実装され、独立した製品として販売又は使用される場合、当該機能が、コンピュータ可読記憶媒体に格納されてよい。そのような理解に基づいて、本質的に本発明の技術的解決法は、又は、従来技術に寄与する部分、又は、技術的解決法の一部のが、ソフトウェア製品の形式で実装されてよい。コンピュータソフトウェア製品が記憶媒体に格納され、コンピュータデバイス（パーソナルコンピュータ、サーバ、ネットワークデバイスなどであってよい）に命令して、本発明の実施形態において説明された方法の段階の全て又は一部を実行するいくつかの命令を含む。前述の記憶媒体は、ＵＳＢフラッシュドライブ、リムーバブルハードディスク、リードオンリメモリ（ＲＯＭ、Ｒｅａｄ‐Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスクなど、プログラムコードを格納できる任意の媒体を含む。
【０２５９】
前述の説明は、単なる本発明の具体的な実施例に過ぎないが、本発明の保護範囲を制限することを意図するものではない。本発明において開示された技術的範囲内で当業者により容易に想到される任意の変形又は置換は、本発明の保護範囲に含まれるものとする。ゆえに、本発明の保護範囲は、特許請求の範囲の保護範囲によって決まるものとする。
【図１】
2019521592.tif 000003
【図２】
2019521592.tif 000004
【図３】
2019521592.tif 000005
【図４】
2019521592.tif 000006
【図５】
2019521592.tif 000007
【図６】
2019521592.tif 000008
【図７】
2019521592.tif 000009
【図８】
2019521592.tif 000010
【図９】
2019521592.tif 000011
【図１０】
2019521592.tif 000012
【図１１】
2019521592.tif 000013
【図１２】
2019521592.tif 000014
【図１３】
2019521592.tif 000015
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
モノのインターネットにおけるＳＭＳ処理方法であって、
パケット交換ドメイン（ＰＳドメイン）内のモビリティ管理ネットワークエレメントにより、端末デバイスから非共同登録要求を受信する段階であって、前記非共同登録要求は、ＳＭＳのみのインジケーション情報を保持する、段階と、
前記ＰＳドメイン内の前記モビリティ管理ネットワークエレメントが前記ＰＳドメインを通じて前記端末デバイスに対してＳＭＳを転送できないと判定した場合、前記ＰＳドメイン内の前記モビリティ管理ネットワークエレメントにより、回線交換ＣＳドメイン（ＣＳドメイン）内のモビリティ管理ネットワークエレメントにロケーション更新要求を送信する段階であって、前記ロケーション更新要求は、前記ＣＳドメインへの前記端末デバイスの登録を実行するために用いられる、段階と
を備える、方法。
【請求項２】
前記ＰＳドメイン内の前記モビリティ管理ネットワークエレメントにより、前記ＣＳドメイン内の前記モビリティ管理ネットワークエレメントからロケーション更新受諾メッセージを受信する段階であって、前記ロケーション更新受諾メッセージは、前記ＣＳドメイン内の前記モビリティ管理ネットワークエレメントが前記ＣＳドメインへの前記端末デバイスの前記登録を受諾したことを示すために用いられる、段階をさらに備える、請求項１に記載の方法。
【請求項３】
前記ロケーション更新受諾メッセージは、ＣＳドメインモビリティ管理パラメータを有し、前記方法は、
前記ＰＳドメイン内の前記モビリティ管理ネットワークエレメントにより、前記ＣＳドメインモビリティ管理パラメータを格納することにより、前記ＰＳドメイン内の前記モビリティ管理ネットワークエレメントが、再び、前記ＣＳドメインへの前記端末デバイスの前記登録を実行する必要がある場合、前記ＣＳドメインモビリティ管理パラメータは、前記ＣＳドメインへの前記端末デバイスの前記登録を実行するために用いられる段階をさらに備える、請求項２に記載の方法。
【請求項４】
前記ＰＳドメイン内の前記モビリティ管理ネットワークエレメントにより、前記ＣＳドメイン内の前記モビリティ管理ネットワークエレメントからロケーション更新拒否メッセージを受信する段階であって、前記ロケーション更新拒否メッセージは、前記ＣＳドメイン内の前記モビリティ管理ネットワークエレメントが前記ＣＳドメインへの前記端末デバイスの前記登録を拒否したことを示すために用いられる、段階と、
前記ＰＳドメイン内の前記モビリティ管理ネットワークエレメントにより、前記端末デバイスに第１インジケーション情報を送信する段階であって、前記第１インジケーション情報は、前記ＰＳドメイン内の前記モビリティ管理ネットワークエレメントが前記端末デバイスにＳＭＳサービスを提供できないことを示すために用いられる、段階と
をさらに備える、請求項１に記載の方法。
【請求項５】
モノのインターネットにおけるＳＭＳ処理方法であって、
端末デバイスにより、パケット交換ドメイン（ＰＳドメイン）内のモビリティ管理ネットワークエレメントに非共同登録要求を送信する段階であって、前記非共同登録要求は、ＳＭＳのみのインジケーション情報を保持する、段階と、
前記端末デバイスにより、前記ＰＳドメイン内の前記モビリティ管理ネットワークエレメントから第１インジケーション情報を受信する段階であって、前記第１インジケーション情報は、前記ＰＳドメイン内の前記モビリティ管理ネットワークエレメントが、前記端末デバイスにＳＭＳサービスを提供できないことを示すために用いられ、前記ＰＳドメイン内の前記モビリティ管理ネットワークエレメントが、前記端末デバイスから前記非共同登録要求を受信した後、前記ＰＳドメイン内の前記モビリティ管理ネットワークエレメントが前記ＰＳドメインを通じて前記端末デバイスに対してＳＭＳを転送できないと判定した場合に、前記第１インジケーション情報は、前記端末デバイスに送信される、段階と
を備える方法。
【請求項６】
前記ＰＳドメイン内の前記モビリティ管理ネットワークエレメントが、前記端末デバイスから前記非共同登録要求を受信した後、前記ＰＳドメイン内の前記モビリティ管理ネットワークエレメントが前記ＰＳドメインを通じて前記端末デバイスに対して前記ＳＭＳを転送できないと判定し、回線交換ドメイン（ＣＳドメイン）内のモビリティ管理ネットワークエレメントが、前記ＣＳドメインへの前記端末デバイスの登録を拒否した場合に、前記第１インジケーション情報は、前記端末デバイスに送信される、請求項５に記載の方法。
【請求項７】
前記端末デバイスにより、タイマを開始し、前記タイマが時間切れになった場合に、前記ＰＳドメイン内の前記モビリティ管理ネットワークエレメントに非共同登録要求を再送信する段階であって、前記非共同登録要求は、前記ＳＭＳのみのインジケーション情報を保持する、段階、又は、
前記端末デバイスにより、前記ＳＭＳサービスを取得することを再要求すべく、トラッキングエリア再選択、ロケーションエリア再選択又は公衆陸上移動体ネットワークＰＬＭＮ選択という動作のうちのいずれか１つを実行する段階、又は
前記端末デバイスにより、前記ＰＳドメイン内の前記モビリティ管理ネットワークエレメントに共同登録要求を送信する段階であって、前記共同登録要求は、前記ＳＭＳのみのインジケーション情報を保持する、段階
をさらに備える、請求項５又は６に記載の方法。
【請求項８】
モノのインターネットにおけるＳＭＳ処理方法であって、
パケット交換ドメイン（ＰＳドメイン）内のモビリティ管理ネットワークエレメントにより、端末デバイスから非共同登録要求を受信する段階であって、前記非共同登録要求は、ＳＭＳのみのインジケーション情報を保持する、段階と、
前記ＰＳドメイン内の前記モビリティ管理ネットワークエレメントが前記端末デバイスにＳＭＳサービスを提供できないと判定した場合、前記ＰＳドメイン内の前記モビリティ管理ネットワークエレメントにより、前記端末デバイスに第１インジケーション情報を送信する段階であって、前記第１インジケーション情報は、前記ＰＳドメイン内の前記モビリティ管理ネットワークエレメントが前記端末デバイスに前記ＳＭＳサービスを提供できないことを示すために用いられる、段階と
を備える方法。
【請求項９】
前記ＰＳドメイン内の前記モビリティ管理ネットワークエレメントが、前記ＰＳドメイン内の前記モビリティ管理ネットワークエレメントが前記端末デバイスにＳＭＳサービスを提供できないと判定することは、
前記ＰＳドメイン内の前記モビリティ管理ネットワークエレメントが、共同手順を用いないＳＭＳ転送をサポートしていないことを含み、前記第１インジケーション情報は、具体的には、前記ＰＳドメイン内の前記モビリティ管理ネットワークエレメントが、共同手順を用いないＳＭＳ転送をサポートしていないことを示すために用いられる、請求項８に記載の方法。
【請求項１０】
前記ＰＳドメイン内の前記モビリティ管理ネットワークエレメントが、前記ＰＳドメイン内の前記モビリティ管理ネットワークエレメントが前記端末デバイスにＳＭＳサービスを提供できないと判定することは、
前記ＰＳドメイン内の前記モビリティ管理ネットワークエレメントが、共同手順を用いないＳＭＳ転送をサポートするが、前記ＰＳドメインを通じて前記端末デバイスに対してＳＭＳを転送できないことを含み、前記第１インジケーション情報は、具体的には、前記ＰＳドメイン内の前記モビリティ管理ネットワークエレメントが、前記ＰＳドメインを通じて前記端末デバイスに対して前記ＳＭＳを転送できないことを示すために用いられる、請求項８に記載の方法。
【請求項１１】
モノのインターネットにおけるＳＭＳ処理方法であって、
端末デバイスにより、パケット交換ドメイン（ＰＳドメイン）内のモビリティ管理ネットワークエレメントに非共同登録要求を送信する段階であって、前記非共同登録要求は、ＳＭＳのみのインジケーション情報を保持する、段階と、
前記端末デバイスにより、前記ＰＳドメイン内の前記モビリティ管理ネットワークエレメントから第１インジケーション情報を受信する段階であって、前記第１インジケーション情報は、前記ＰＳドメイン内の前記モビリティ管理ネットワークエレメントが、共同手順を用いないＳＭＳ転送をサポートしていないことを示すために用いられ、前記ＰＳドメイン内の前記モビリティ管理ネットワークエレメントが、前記端末デバイスから前記非共同登録要求を受信した後、前記ＰＳドメイン内の前記モビリティ管理ネットワークエレメントが共同手順を用いないＳＭＳ転送をサポートしていないと判定した場合に、前記第１インジケーション情報は、前記端末デバイスに送信される、段階と
を備える方法。
【請求項１２】
前記端末デバイスにより、前記ＰＳドメイン内の前記モビリティ管理ネットワークエレメントに共同登録要求を送信する段階であって、前記共同登録要求は、前記ＳＭＳのみのインジケーション情報を保持する、段階、又は、
前記端末デバイスにより、ＳＭＳサービスを取得することを再要求するべく、トラッキングエリア再選択、ロケーションエリア再選択又は公衆陸上移動体ネットワークＰＬＭＮ選択という動作のうちのいずれか１つを実行する段階
をさらに備える、請求項１１に記載の方法。
【請求項１３】
モビリティ管理ネットワークエレメントであって、
端末デバイスから非共同登録要求を受信するように構成される受信ユニットであって、前記非共同登録要求は、ＳＭＳのみのインジケーション情報を保持する、受信ユニットと、
前記モビリティ管理ネットワークエレメントがＰＳドメインを通じて前記端末デバイスにＳＭＳを転送できるか否かを判定するように構成される処理ユニットと、
前記モビリティ管理ネットワークエレメントが前記ＰＳドメインを通じて前記端末デバイスに対して前記ＳＭＳを転送できないと前記処理ユニットが判定した場合、回線交換ドメイン（ＣＳドメイン）内のモビリティ管理ネットワークエレメントにロケーション更新要求を送信するように構成される送信ユニットであって、前記ロケーション更新要求は、前記ＣＳドメインへの前記端末デバイスの登録を実行するために用いられる、送信ユニットと
を備えるモビリティ管理ネットワークエレメント。
【請求項１４】
前記受信ユニットは、具体的には、前記ＣＳドメイン内の前記モビリティ管理ネットワークエレメントからロケーション更新受諾メッセージを受信するように構成され、前記ロケーション更新受諾メッセージは、前記ＣＳドメイン内の前記モビリティ管理ネットワークエレメントが前記ＣＳドメインへの前記端末デバイスの前記登録を受諾したことを示すために用いられる、請求項１３に記載のモビリティ管理ネットワークエレメント。
【請求項１５】
前記ロケーション更新受諾メッセージは、ＣＳドメインモビリティ管理パラメータを有し、
前記モビリティ管理ネットワークエレメントは、
ストレージユニットをさらに備え、前記ストレージユニットは、前記ＣＳドメインモビリティ管理パラメータを格納するように構成され、前記ＣＳドメインへの前記端末デバイスの前記登録が再び実行される必要がある場合に、前記ＣＳドメインモビリティ管理パラメータを用いることにより、前記ＣＳドメインへの前記端末デバイスの前記登録を実行する、請求項１４に記載のモビリティ管理ネットワークエレメント。
【請求項１６】
前記受信ユニットは、具体的には、前記ＣＳドメイン内の前記モビリティ管理ネットワークエレメントからロケーション更新拒否メッセージを受信するように構成され、前記ロケーション更新拒否メッセージは、前記ＣＳドメイン内の前記モビリティ管理ネットワークエレメントが前記ＣＳドメインへの前記端末デバイスの前記登録を拒否したことを示すために用いられ、
前記送信ユニットは、具体的には、前記端末デバイスに第１インジケーション情報を送信するように構成され、前記第１インジケーション情報は、前記モビリティ管理ネットワークエレメントが前記端末デバイスにＳＭＳサービスを提供できないことを示すために用いられる、請求項１３に記載のモビリティ管理ネットワークエレメント。
【請求項１７】
端末デバイスであって、
パケット交換ドメイン（ＰＳドメイン）内のモビリティ管理ネットワークエレメントに非共同登録要求を送信するように構成される送信ユニットであって、前記非共同登録要求は、ＳＭＳのみのインジケーション情報を保持する、送信ユニットと、
前記ＰＳドメイン内の前記モビリティ管理ネットワークエレメントから第１インジケーション情報を受信するように構成される受信ユニットであって、前記第１インジケーション情報は、前記ＰＳドメイン内の前記モビリティ管理ネットワークエレメントが前記端末デバイスにＳＭＳサービスを提供できないことを示すために用いられ、前記ＰＳドメイン内の前記モビリティ管理ネットワークエレメントが、前記端末デバイスから前記非共同登録要求を受信した後、前記ＰＳドメイン内の前記モビリティ管理ネットワークエレメントが前記ＰＳドメインを通じて前記端末デバイスに対してＳＭＳを転送できないと判定した場合に、前記第１インジケーション情報は、前記端末デバイスに送信される、受信ユニットと
を備える端末デバイス。
【請求項１８】
前記ＰＳドメイン内の前記モビリティ管理ネットワークエレメントが、前記端末デバイスから前記非共同登録要求を受信した後、前記ＰＳドメイン内の前記モビリティ管理ネットワークエレメントが前記ＰＳドメインを通じて前記端末デバイスに対して前記ＳＭＳを転送できないと判定し、回線交換ドメイン（ＣＳドメイン）内のモビリティ管理ネットワークエレメントが、前記ＣＳドメインへの前記端末デバイスの登録を拒否した場合に、前記第１インジケーション情報は、前記端末デバイスに送信される、請求項１７に記載の端末デバイス。
【請求項１９】
前記端末デバイスは、第１処理ユニットをさらに備え、
前記第１処理ユニットは、タイマを開始するように構成され、
前記送信ユニットは、具体的には、前記タイマが時間切れになったと前記第１処理ユニットが判定した場合に、前記ＰＳドメイン内の前記モビリティ管理ネットワークエレメントに非共同登録要求を再送信するように構成され、前記非共同登録要求は、前記ＳＭＳのみのインジケーション情報を保持する、又は、
前記端末デバイスは、第２処理ユニットを備え、前記第２処理ユニットは、前記ＳＭＳサービスを取得することを再要求すべく、トラッキングエリア再選択、ロケーションエリア再選択又は公衆陸上移動体ネットワークＰＬＭＮ選択という動作のうちのいずれか１つを実行するように構成される、又は、
前記送信ユニットは、さらに、前記ＰＳドメイン内の前記モビリティ管理ネットワークエレメントに共同登録要求を送信するように構成され、前記共同登録要求は、前記ＳＭＳのみのインジケーション情報を保持する、請求項１７又は１８に記載の端末デバイス。
【請求項２０】
モビリティ管理ネットワークエレメントであって、
端末デバイスから非共同登録要求を受信するように構成される受信ユニットであって、前記非共同登録要求は、ＳＭＳのみのインジケーション情報を保持する、受信ユニットと、
前記モビリティ管理ネットワークエレメントが前記端末デバイスにＳＭＳサービスを提供できるか否かを判定するように構成される処理ユニットと、
前記モビリティ管理ネットワークエレメントが前記端末デバイスに前記ＳＭＳサービスを提供できないと前記処理ユニットが判定した場合、前記端末デバイスに第１インジケーション情報を送信するように構成される送信ユニットであって、前記第１インジケーション情報は、前記モビリティ管理ネットワークエレメントが前記端末デバイスに前記ＳＭＳサービスを提供できないことを示すために用いられる、送信ユニットと
を備えるモビリティ管理ネットワークエレメント。
【請求項２１】
前記モビリティ管理ネットワークエレメントは、共同手順を用いないＳＭＳ転送をサポートしておらず、前記第１インジケーション情報は、具体的には、モビリティ管理ネットワークが、共同手順を用いないＳＭＳ転送をサポートしていないことを示すために用いられる、請求項２０に記載のモビリティ管理ネットワークエレメント。
【請求項２２】
前記モビリティ管理ネットワークエレメントは、共同手順を用いないＳＭＳ転送をサポートしているが、パケット交換ドメイン（ＰＳドメイン）を通じて前記端末デバイスに対してＳＭＳを転送できず、前記第１インジケーション情報は、具体的には、前記モビリティ管理ネットワークエレメントが前記ＰＳドメインを通じて前記端末デバイスに対して前記ＳＭＳを転送できないことを示すために用いられる、請求項２０に記載のモビリティ管理ネットワークエレメント。
【請求項２３】
端末デバイスであって、
パケット交換ドメイン（ＰＳドメイン）内のモビリティ管理ネットワークエレメントに非共同登録要求を送信するように構成される送信ユニットであって、前記非共同登録要求は、ＳＭＳのみのインジケーション情報を保持する、送信ユニットと、
前記ＰＳドメイン内の前記モビリティ管理ネットワークエレメントから第１インジケーション情報を受信するように構成される受信ユニットであって、前記第１インジケーション情報は、前記ＰＳドメイン内の前記モビリティ管理ネットワークエレメントが、共同手順を用いないＳＭＳ転送をサポートしていないことを示すために用いられ、前記ＰＳドメイン内の前記モビリティ管理ネットワークエレメントが、前記端末デバイスから前記非共同登録要求を受信した後、前記ＰＳドメイン内の前記モビリティ管理ネットワークエレメントが共同手順を用いないＳＭＳ転送をサポートしていないと判定した場合に、前記第１インジケーション情報は、前記端末デバイスに送信される、受信ユニットと
を備える端末デバイス。
【請求項２４】
プロセッサに、請求項１から４のいずれか一項に記載の方法を実行させるためのコンピュータプログラム。
【請求項２５】
プロセッサに、請求項５から７のいずれか一項に記載の方法を実行させるためのコンピュータプログラム。
【請求項２６】
プロセッサに、請求項８から１０のいずれか一項に記載の方法を実行させるためのコンピュータプログラム。
【手続補正２】
【補正対象書類名】明細書
【補正対象項目名】００１０
【補正方法】変更
【補正の内容】
【００１０】
ＰＳドメインモビリティ管理ネットワークエレメントが、ＥＰＳネットワーク内のモビリティ管理ネットワークエレメントであってよい、例えば、モビリティ管理エンティティ（Ｍｏｂｉｌｉｔｙ  Ｍａｎａｇｅｍｅｎｔ  Ｅｎｔｉｔｙ、ＭＭＥ）であってよいことに留意されるべきである。代替的に、ＰＳドメイン内のモビリティ管理ネットワークエレメントは、将来のネットワーク（例えば、５Ｇ）におけるコアネットワーク内のネットワークエレメントであってよい。
【手続補正３】
【補正対象書類名】明細書
【補正対象項目名】００１３
【補正方法】変更
【補正の内容】
【００１３】
本発明の本実施形態において、ＳＭＳ‐ｉｎ‐ＭＭＥがＰＳドメイン管理ネットワークエレメントに配備されていない場合に、ＰＳドメイン管理ネットワークエレメントが、端末デバイスにより送信された非共同登録要求を受信した場合、ＰＳドメイン管理ネットワークエレメントは、ＣＳドメインへの端末デバイスの登録を実行すべく、ＣＳドメインモビリティ管理ネットワークエレメントにロケーション更新要求を送信する。言い換えれば、ＰＳドメイン管理ネットワークエレメントは、非共同登録手順から共同登録手順への変換を実行する。ＳＭＳサービスは、非共同登録手順から共同登録手順への変換をモノのインターネット端末デバイスが知らない場合に、モノのインターネット端末デバイスに提供され得る。
【手続補正４】
【補正対象書類名】明細書
【補正対象項目名】０１２３
【補正方法】変更
【補正の内容】
【０１２３】
本実施形態において、ＭＭＥは、端末デバイスにＳＭＳサービスを提供すべく、ＣＳドメインへのＵＥの登録を要求する。ＣＳドメイン内のモビリティ管理ネットワークエレメント（例えば、ＭＳＣ／ＶＬＲ）は、ＣＳドメインへの端末デバイスの登録が受諾され得るか否かを判定する。具体的には、ＭＳＣ／ＶＬＲによる、ＣＳドメインへの端末デバイスの登録が受諾され得るか否かを判定する方式については、従来技術を参照する。詳細がここで説明されることはない。
【手続補正５】
【補正対象書類名】明細書
【補正対象項目名】０１３４
【補正方法】変更
【補正の内容】
【０１３４】
本発明の本実施形態において、ネットワーク側がＳＭＳサービスを提供できないことが分かった後に、ＵＥはタイマを開始してよい。タイマが時間切れになった後、ＵＥは、ＭＭＥに（ＳＭＳのみのインジケーション情報を保持する）非共同登録要求を送信し続けて、ＳＭＳサービスを取得することを再要求する。代替的に、ＵＥは、ＴＡ再選択、ＬＡ再選択又はＰＬＭＮ選択を実行して、別の位置又は別のネットワークにおいてＳＭＳサービスを取得することを試みてよい。代替的に、ＵＥは、ネットワーク側に対して、（ＳＭＳのみのインジケーション情報を保持する）共同登録要求を開始する。言い換えれば、ＵＥは、従来技術を用いることによりＳＭＳサービスを取得する。
【手続補正６】
【補正対象書類名】明細書
【補正対象項目名】０１７３
【補正方法】変更
【補正の内容】
【０１７３】
ＭＭＥにより送信され、ＳＭＳサービスが提供されることができないことを示すインジケーション情報を受信した場合、ＵＥは、以下の動作又は手順のうちのいずれか１つを実行して、ネットワーク側からＳＭＳサービスを再び取得することを要求してよいことが前述の説明から分かり得る。ＵＥは、ＳＭＳのみのインジケーション情報を保持する非共同登録要求をＭＭＥに送信する。ＵＥは、ＳＭＳのみのインジケーション情報を保持する共同登録要求をＭＭＥに送信する、又は、ＵＥは、ＴＡ再選択、ＬＡ再選択又はＰＬＭＮ選択を実行する。詳細がここで説明されることはない。
【手続補正７】
【補正対象書類名】明細書
【補正対象項目名】０１９１
【補正方法】変更
【補正の内容】
【０１９１】
ＭＭＥがＭＳＣ／ＶＬＲにロケーション更新要求を送信して、ＣＳドメインへのＵＥの登録を要求することが理解され得る。ＭＳＣ／ＶＬＲが、ＵＥに関するＣＳドメインへのロケーション更新要求を受諾した場合、段階５０７が実行される。ＭＳＣ／ＶＬＲが、ＵＥに関するＣＳドメインへのロケーション更新要求を拒否する場合の本発明の実施形態でのモノのインターネットにおけるＳＭＳ処理方法の手順が、図８を参照して説明される。
【手続補正８】
【補正対象書類名】明細書
【補正対象項目名】０２５１
【補正方法】変更
【補正の内容】
【０２５１】
本実施形態において、端末デバイス２０００が機能ユニットの形式で示されることが理解されるべきである。本明細書において、「ユニット」は、特定用途向け集積回路（ａｐｐｌｉｃａｔｉｏｎ‐ｓｐｅｃｉｆｉｃ  ｉｎｔｅｇｒａｔｅｄ  ｃｉｒｃｕｉｔ、ＡＳＩＣ）、回路、１又は複数のソフトウェア又はファームウェアプログラムを実行するプロセッサ及びメモリ、統合されたロジック回路及び／又は前述の機能を提供できる別のコンポーネントであってよい。単純な実施形態において、当業者は、端末デバイス２０００が図４に示される形式であってよいことを想到し得る。送信ユニット２１００及び受信ユニット２２００は、図４におけるプロセッサ及びメモリを用いることにより実装されてよい。具体的には、プロセッサは、端末デバイス２０００を実装するために、メモリに格納されたコンピュータプログラムを実行する。
【国際調査報告】
2019521592.tif 000016
2019521592.tif 000017
2019521592.tif 000018
2019521592.tif 000019